(57)【要約】【課題】  厚さや幅等の寸法の異なる複数種類のカードを同一カードコネクタに挿入して使用する際に、カードに何等の細工を施すこと無く、シャッターやアクチュエータのような部材や、ラッチアーム等の部材を切換え作動して適合できると共に、適切なカードの使用を許し、不適切なカードの使用を阻止してカードの使用を区別することができるように構成されている。【解決手段】  筐体と、この筐体の少なくとも一方が開口されているカード挿入口と、前記筐体内に配置された複数個のコンタクトとを備え、前記筐体内には、少なくともアクチュエータ部材とシャッター部材から構成される切換機構を配置したことを特徴とする。【選択図】  図４
2004193111.tif 000002
【特許請求の範囲】
【請求項１】
筐体と、この筐体の少なくとも一方が開口されているカード挿入口と、前記筐体内に配置された複数個のコンタクトとを備え、
前記筐体内には、少なくともアクチュエータ部材とシャッター部材から構成される切換機構を配置したことを特徴とするカードコネクタ。
【請求項２】
前記アクチュエータ部材は、前記カード挿入口の近傍に可動可能に配置され、且つ前記シャッター部材と連動されていることを特徴とする請求項１記載のカードコネクタ。
【請求項３】
前記アクチュエータ部材は、前記カード挿入口の両側に回動可能に配設され、且つ前記シャッター部材と連動されていることを特徴とする請求項１記載のカードコネクタ。
【請求項４】
前記アクチュエータ部材は、前記カード挿入口における切換え部材であることを特徴とする請求項１記載のカードコネクタ。
【請求項５】
前記シャッター部材は、シャッター板を有し、このシャッター板の両側に前記アクチュエータ部材がラッチ係合されていることを特徴とする請求項１記載のカードコネクタ。
【請求項６】
前記シャッター部材は、前記カード挿入口を開閉するように回動可能に配設され、前記カード挿入口から挿入されたカード形状に適合して作動されることを特徴とする請求項１記載のカードコネクタ。
【請求項７】
前記アクチュエータ部材は、金属板の細長い条片部材を折り曲げて形成され、前記カード挿入口に弾性変形可能に取外し自在に取付けられることを特徴とする請求項１記載のカードコネクタ。
【請求項８】
前記アクチュエータ部材の条片部材は、折り曲げられた内側角部にカードが当接するカム部が形成されていることを特徴とする請求項７記載のカードコネクタ。
【請求項９】
前記アクチュエータ部材は、前記カード挿入口の開口部の面積を変えるようにカム面を有することを特徴とする請求項１記載のカードコネクタ。
【請求項１０】
前記アクチュエータ部材のカム面は、垂直な面であることを特徴とする請求項９記載のカードコネクタ。
【請求項１１】
前記アクチュエータ部材のカム面は、上部が内側に位置するように下方に末広がりに傾斜した面であることを特徴とする請求項９記載のカードコネクタ。
【請求項１２】
前記アクチュエータ部材のカム面は、上部に内方に突出した出張り部が形成されていることを特徴とする請求項９記載のカードコネクタ。
【請求項１３】
前記シャッター部材は、前記カード挿入口を開閉するように後方に転動可能に配設され、前記カード挿入口から挿入されたカード形状に適合して作動されることを特徴とする請求項１記載のカードコネクタ。
【発明の詳細な説明】
【技術分野】
【０００１】
本発明は、携帯電話機、電話機、ＰＤＡ（personal  digital  assistance）、携帯型オーディオ、ゲーム機、カメラ等や情報端末機器等の電子機器のカードコネクタに係わるもので、特に、厚さや幅や長さ等の寸法の異なる２種類のカードを使用できるカードコネクタに関するものである。
【背景技術】
【０００２】
近年、携帯電話機、電話機、ＰＤＡ（personal  digital  assistance）、携帯型オーディオ、ゲーム機、カメラや、情報端末機器等の電子機器においては、ＣＰＵやメモリ用のＩＣチップと呼ばれるＩＣ部品が組込まれたＩＣカードやＰＣカード、ＳＤカード、ＳＩＭカード等の利用が非常に増大し、ＩＣカードやＰＣカード、ＳＤカードやＳＩＭカード等の小型のメモリカードを挿入するカードコネクタが広く求められている。特に、カードコネクタとして、高さを低くして低背化と小型化を図り、カードの挿入と抜き出しに必要な十分な強度を有し、挿入されたカードを容易に放出することができ、サイズの異なる２種類のカードを利用できるカードコネクタが求められている（例えば、特許文献１参照。）。
【０００３】
【特許文献１】特開２００１−１３５３８５号公報（第３〜４頁、図５〜図９）
【発明の開示】
【発明が解決しようとする課題】
【０００４】
しかしながら、従来のカードコネクタにおいては、ＩＣカードやＰＣカードまたはＳＤカードやＳＩＭカード等のカードを挿入して用いる際に、厚さや幅等のサイズの異なるカードを同一のカードコネクタにおいて使用する場合があるので、カードに何等かの細工を施すことが必要である。さらに、従来のこのようなカードコネクタにおいては、各カードの寸法に合致したカード挿入口がカード挿入部の開口として形成されている。この場合には、機器の小型化と内部プリント基板の実装スペースが制限されること等の理由によって、１つのカードコネクタで寸法の異なるカードの装着が要求されるようになってきている。
【０００５】
従来におけるこのようなカードコネクタは、上記公開公報に示されるように、厚さの厚い第１のカードの上側本体部の両側縁および厚さの薄い第２のカードのカード本体部の両側端を支持して、これら第１、第２のカードの挿脱移動を案内する一対の案内溝と、これら一対の案内溝で挟まれる空間の下方で第１のカードの下側本体部が収容される空間を画成するための側壁と、をコネクタハウジングに形成している。しかしながら、上記の公報の技術では、異なる２種類のカードを同一のカードコネクタに挿入して使用することができるようにカードに細工を施すことが必須事項である。
【０００６】
従って、本発明の目的は、このような従来における問題点を解決することを課題とする。具体的な本発明の目的は、厚さや幅等の寸法の異なる２種類のカードを同一カードコネクタに挿入して使用する際に、カードに何等の細工を施すこと無く、シャッターやアクチュエータのような部材や、ラッチアーム等の部材を切換え作動して適合できるカードコネクタを提供することにある。さらに、本発明の目的は、適切なカードの使用を許し、不適切なカードの使用を阻止してカードの使用を区別することができるように構成されたカードコネクタを提供することにある。
【課題を解決するための手段】
【０００７】
上述の目的を達成するために、本発明のカードコネクタは、筐体と、この筐体の少なくとも一方が開口されているカード挿入口と、前記筐体内に配置された複数個のコンタクトとを備え、前記筐体内には、少なくともアクチュエータ部材とシャッター部材から構成される切換機構を配置したことを特徴とする。
【０００８】
また、本発明のカードコネクタは、前記アクチュエータ部材が、前記カード挿入口の近傍に可動可能に配置され、且つ前記シャッター部材と連動されていることを特徴とする。
【０００９】
さらに、本発明のカードコネクタは、前記アクチュエータ部材が、前記カード挿入口の両側に回動可能に配設され、且つ前記シャッター部材と連動されていることを特徴とする。
【００１０】
さらにまた、本発明のカードコネクタは、前記アクチュエータ部材が、前記カード挿入口における切換え部材であることを特徴とする。
【００１１】
本発明のカードコネクタは、前記シャッター部材が、シャッター板を有し、このシャッター板の両側に前記アクチュエータ部材がラッチ係合されていることを特徴とする。
【００１２】
また、本発明のカードコネクタは、前記シャッター部材が、前記カード挿入口を開閉するように回動可能に配設され、前記カード挿入口から挿入されたカード形状に適合して作動されることを特徴とする。
【００１３】
さらに、本発明のカードコネクタは、前記アクチュエータ部材が、金属板の細長い条片部材を折り曲げて形成され、前記カード挿入口に弾性変形可能に取外し自在に取付けられることを特徴とする。
【００１４】
さらにまた、本発明のカードコネクタは、前記アクチュエータ部材の条片部材が、折り曲げられた内側角部にカードが当接するカム部が形成されていることを特徴とする。
【００１５】
本発明のカードコネクタは、前記アクチュエータ部材が、前記カード挿入口の開口部の面積を変えるようにカム面を有することを特徴とする。
【００１６】
また、本発明のカードコネクタは、前記アクチュエータ部材のカム面が、垂直な面であることを特徴とする。
【００１７】
さらに、本発明のカードコネクタは、前記アクチュエータ部材のカム面が、上部が内側に位置するように下方に末広がりに傾斜した面であることを特徴とする。
【００１８】
さらにまた、本発明のカードコネクタは、前記アクチュエータ部材のカム面が、上部に内方に突出した出張り部が形成されていることを特徴とする。
【００１９】
本発明のカードコネクタは、前記シャッター部材が、前記カード挿入口を開閉するように後方に転動可能に配設され、前記カード挿入口から挿入されたカード形状に適合して作動されることを特徴とする。
【発明の効果】
【００２０】
本発明のカードコネクタは、筐体の少なくとも一方が開口されてカード挿入口が設けられ、複数個のコンタクトが筐体内に配置されたカードコネクタにおいて、前記筐体内には、切換機構が配置され、この切換機構により前記カード挿入口の開口部の面積を変えるので、１つのカードコネクタによって、断面形状における寸法の相違する異なるカードを使用することができ、大小の複数種類のカードを、カード自体に何等の細工を施さずに、かつ何の支障も無く共通して使用することができ、しかも適切なカードの使用を区別することができるし、カードとの当接が容易になって切換機構を確実に作動でき、カードに対する摩擦が少なくなって摺動性が良くなると共に、さらにカードコネクタ自体を偏平で薄形のハウジング形状の筐体に製作することができて、携帯電話機やカラオケ用マイクのような情報端末機器や各種の電子機器等に好適に使用することが可能である。
【発明を実施するための最良の形態】
【００２１】
本発明のカードコネクタは、筐体と、この筐体の少なくとも一方が開口されているカード挿入口と、前記筐体内に配置された複数個のコンタクトとを備え、前記筐体内には、少なくともアクチュエータ部材とシャッター部材から構成される切換機構を配置したことを特徴とする。
【００２２】
本発明のその他の目的や特徴および利点は、添付図面に示される本発明の実施形態についての以下の詳細な説明から明らかである。
【実施例１】
【００２３】
図１乃至図７は、本発明のカードコネクタの実施例１を示す図で、図１は、本
発明のカードコネクタをカード挿入口側から見た全体の斜視図で、図２は、平面図、図３は、一部を断面した側面図で、図４は、図１の本発明のカードコネクタを、カバー部材を取外して示す図１と同様な斜視図、図５は、図４の本発明のカードコネクタを、可動部材が外方に開いた状態での同様な斜視図で、図６は、図４の本発明のカードコネクタに小さなカードを挿入した時の斜視図、図７は、図４の本発明のカードコネクタに大きなカードを挿入した時の斜視図である。
【００２４】
図１乃至図７に示されるように、本発明のカードコネクタ１は、薄くて短い小さなカードＡと、厚くて長い大きなカードＢとに共通して使用することができるものである。本発明において使用されるこのようなカードＡ、Ｂを、以下に、単に、「小さなカード」、「大きなカード」と言うものとする。
【００２５】
図１に示されるように、本発明におけるカードコネクタ１は、コネクタ本体２と、カバー部材３と、複数個のコンタクト４と、切換機構５とを有している。本発明のカードコネクタ１の切換機構５は、アクチュエータ部材６と、シャッター部材７と、アクチュエータ部材６を弾性的に偏倚する板ばね１０とから形成されている。このカードコネクタ１は、例えば情報端末機器等に装着して用いられるように構成されている。また、このような本発明のカードコネクタ１は、コネクタ本体２に組合せられるカバー部材３によって偏平なハウジング形状の筐体に構成されており、一方の側が開放されていてカード挿入口９が形成されている。
【００２６】
さらに、本発明のカードコネクタ１は、他方の側が端壁１１によって閉鎖されていて、この端壁１１に沿って複数個のコンタクト４が整列して設けられている。これらコンタクト４には、外部の他の情報端末機器や装置等の端子と接続するための端子部４ｃが延出するように設けられている。また、これらコンタクト４は、個々に独立した支持台部２７の上に設置されている。これによって、各カードの接点となる接触パッドが独立しているために、カードの逆挿入を防止し易くなっている。
【００２７】
さらにまた、本発明のカードコネクタ１は、カバー部材３の両側に設けられた取付用フランジ部１２において、情報端末機器の印刷配線基板等の固定すべき機器や装置に半田付けまたはねじ等によって取り付けられる。
【００２８】
本発明のカードコネクタ１のカード挿入口９の両側には、切換機構５の一対のラッチアームのようなアクチュエータ部材６が、カード挿入口９を挟んで対向して設けられると共に、これらアクチュエータ部材６の間に、閉鎖部材としてのシャッター部材７が設けられている。従って、これら切換機構５のアクチュエータ部材６とシャッター部材７とが、小さなカードＡや大きなカードＢ等の厚さや幅あるいは長さ等の外形寸法の相違に対応して切換え作動するように形成されている。このような切換機構５のアクチュエータ部材６とシャッター部材７等が、本実施例において可動部材を形成している。
【００２９】
このような本発明のカードコネクタ１において、コネクタ本体２は、適宜な合成樹脂材料などの絶縁材料によって成形して作られ、金属薄板材料で作られたカバー部材３と組合せられて、中空の偏平なハウジング形状の筐体に形成されている。また、カバー部材３は、合成樹脂材料で作ることもできる。小さなカードＡまたは大きなカードＢは、カードコネクタ１のカード挿入口９から挿入され、挿入された小さなカードＡまたは大きなカードＢの下面の先端部に配列された接触パッド等のパッド部と接続されるように複数個のコンタクト４が、カードコネクタ１内に整列して設けられている。
【００３０】
このようなコンタクト４は、上方に半円形状に彎曲した接触片としての接触部４ａが一方の内側となる自由端部に形成されている。この接触部４ａがカード挿入口９から挿入された小さなカードＡまたは大きなカードＢのパッド部と所要位置において弾性的に接触できるように形成されている。なお、コンタクト４は、コネクタ本体２のベース部１８の後方に設けられた支持台部２７上に配置されている。さらにまた、コンタクト４は、図３に示されるように、中間の脚部４ｂにおいてほぼ直角に折り曲げられていて、端壁１１に一体的に取り付けられて固着されている。このコンタクト４の他方の端部には、外部機器と接続される端子部４ｃが形成されている。
【００３１】
なお、本実施例において、本発明のカードコネクタ１に用いられているカードＡ、Ｂは、例えば小さなカードＡとして「メモリスティックデュオ」（登録商標）が使用され、大きなカードＢとして「メモリスティック」（登録商標）が使用できるように適用されている。しかしながら、本発明は何等このようなカードだけの使用にのみ制限されるものではなく、これらメモリスティック等の外に、ＳＤカードやＩＣカード、ＳＩＭカード等の他の同様なメモリカードでも良好に適用できることは勿論である。
【００３２】
図示されるように、このような本発明のカードコネクタ１において、カード挿入口９の両側には、切換機構５のアクチュエータ部材６がカード挿入口９のところに切換え部材として設けられている。さらに、シャッター部材７が、このアクチュエータ部材６に隣接して回動可能に配置されている。このシャッター部材７は、細長い横方向の平板状のシャッター板１４から形成されている。さらに、このようなシャッター部材７のシャッター板１４は、左右両側に上方に突出する突出部１５を有している。これら突出部１５にカム面１６が設けられている。また、シャッター部材７は、ピン１７によってソケット本体２に回動可能に支持されている。
【００３３】
従って、大きなカードＢの角部がこの突出部１５のカム面１６に当接した時に、シャッター部材７は、ピン１７周りに後方に向って回動、すなわち転倒されて、図５に示されるように、突出部１５が横方向に倒された状態に位置するようになる。この図５の状態においては、大きなカードＢが、アクチュエータ部材６を外方に向って回動して開き、続いて、シャッター部材７の突出部１５のカム面１６に当たって突出部１５を倒してシャッター部材７を後方に倒すように回動する。そして、カードＢは、倒れたシャッター部材７の上を乗り越えて奥の方にまで押し込まれ、カードＢの先端部のパッド部がコンタクト４と接触されて、カードＢが装着されるようになる。このように、シャッター部材７は、後方に倒れた状態で、厚い大きなカードＢのための十分な断面の挿入部を得ることができる。
【００３４】
本発明のカードコネクタ１のコネクタ本体２は、図４および図５に示されるように、前方が開放されていてカード挿入口９が形成されているほぼ平らなベース部１８を有しており、このベース部１８の前方左右にカード挿入口９を形成する直立する支持壁１９がベース部１４の前方角部に設けられている。さらに、コネクタ本体２は、後方に上板２０と両側の外方側壁２１と内方側壁２２とを有しており、これら上板２０と両側の外方側壁２１と内方側壁２２との前方のほぼ半分ほどがそれぞれ開放されている。コネクタ本体２は、この開放された部分にカバー部材３が組み合わされ、これによって偏平な薄い箱形のハウジング形状の筐体に構成されている。
【００３５】
さらに、このようなコネクタ本体２は、ベース部１８の前方両側に、開放された切り欠き部２３が設けられており、この切り欠き部２３に直立板２４がそれぞれ形成されている。また、この切り欠き部２３において、アクチュエータ部材６が一端においてピン１３によって回動可能に枢支されており、直立板２４がストッパーとしてこれらアクチュエータ部材６の内方への動きを阻止するように形成されている。アクチュエータ部材６は、内側が切り欠かれていて、先端にほぼ直角なラッチ部２５が形成されており、このラッチ部２５が、シャッター部材７の突出部１５と係合するように設けられていてアーム形状に形成されている。
【００３６】
また、アクチュエータ部材６は、一端がコネクタ本体２のカード挿入口９部分の、切り欠き部２３のところにおいてピン１３によって回動可能に取り付けられており、カード挿入口９側のアクチュエータ部材６の角部が切り落されてカム面２６が形成されている。従って、このカム面２６に大きなカードＢの両側の角部が当接した時に、アクチュエータ部材６は、ピン１３を中心にして外方に向って押し開かれるように作動されるものである。
【００３７】
これによって、アクチュエータ部材６は、先端に形成されているラッチ部２５がシャッター部材７の突出部１５から離れて、この突出部１５に大きなカードＢの角部が当たった時に、大きなカードＢによって突出部１５が後方に押し倒されて、シャッター部材７が転倒される。従って、挿入された大きなカードＢが、転倒したシャッター部材７の上に配設された十分な断面形状の挿入部を通って挿入されるように、カードコネクタ１の挿入開口部が形成されている。これによりカードコネクタ１では、大きなカードＢの完全な挿入ができる。
【００３８】
また、このシャッター部材７に隣接してストッパーとして作用する固定の直立板２４が設けられており、これによってアクチュエータ部材６の内方への動きを阻止するようになっている。さらに、コネクタ本体２の両側には、外方側壁２１と内方側壁２２とがほぼ平行に設けられており、これら外方側壁２１と内方側壁２２との間に板ばね１０が設けられている。従って、板ばね１０は、一端が、例えば端壁１１に固着されて片持ち梁状に支持されており、他端が自由端としてアクチュエータ部材６の自由な先端部の外側に係合して、アクチュエータ部材６を内方に向って弾性的に押圧し偏倚している。
【００３９】
このように構成された本発明のカードコネクタ１において、小さいカードＡと大きいカードＢを実際に使用する場合について次に説明する。
【００４０】
先ず、小さいカードＡを使用する場合には、図６に示されるように、本発明のカードコネクタ１のカード挿入口９から小さなカードＡが挿入される。
【００４１】
このような小さなカードＡは、例えばメモリスティックデュオ（登録商標）と呼ばれるカードで、図示のように厚さが薄く、長さが短く、幅も小さい等の外形寸法が小さなカードである。この小さなカードＡの場合、幅は、本発明のカードコネクタ１の一対のアクチュエータ部材６間の正常の幅に等しい幅をなしている。従って、小さなカードＡを、図１のカードコネクタ１において矢印の方向にカード挿入口９からカードコネクタ１内に挿入した時に、小さなカードＡを好適に挿入できる。これは、アクチュエータ部材６に小さなカードＡが何等当たらないので、アクチュエータ部材６を動かすことが無いからである。従って、アクチュエータ部材６は、板ばね１０によってピン１３周りに内方に向って押されてストッパーとなる直立板２４によって停止されている図４の状態にある。
【００４２】
これによって、小さなカードＡは、シャッター部材７の突出部１５の間を通り、かつシャッター部材７のシャッター板１４の上面の上の、所要の形状と大きさをなしている挿入開口部を通ってカードコネクタ１の内部へと挿入される。そして、小さなカードＡの先端が端壁１１に当たって停止されて所要位置に位置される。この状態で、小さなカードＡは、下面のパッド部がコンタクト４の接触部４ａと接触されて接続されるようになる。このようにして小さなカードＡを挿入して装着して、所期の目的となる使用が可能となる。
【００４３】
次いで、小さなカードＡを取り出すためには、そのまま小さなカードＡの端をもって引き抜けば良く、これによって小さなカードＡを好適に抜き出すことができる。
【００４４】
次に、大きなカードＢを使用する場合には、図７に示されるように、本発明のカードコネクタ１のカード挿入口９から大きなカードＢが挿入される。
【００４５】
この大きなカードＢは、例えばメモリスティック（登録商標）と呼ばれるカードで、図示のように厚さが厚く、長さも長く、かつ幅も大きい等の外形寸法が大きなカードである。この大きなカードＢの場合には、幅は、本発明のカードコネクタ１の一対のアクチュエータ部材６間の正常な幅よりも大きい。
【００４６】
従って、この大きなカードＢをカード挿入口９からカードコネクタ１内に挿入した時に、先ず、大きなカードＢの先端の角部がアクチュエータ部材６のカム面２６に当たって押す。このために、アクチュエータ部材６は、ピン１３を中心にして外方に向って開くように回動されて、ストッパーである直立板２４から離れると共に、ラッチ部２５が突出部１５から離れるようになる。
【００４７】
続いて、大きなカードＢの先端の角部は、シャッター部材７の突出部１５のカム面１６に当たって突出部１５を押すので、突出部１５が押し倒されてシャッター部材７のシャッター板１４が後方に転倒されるようになり、図５に示される状態になる。この状態で、転倒されたシャッター部材７のシャッター板１４上の挿入開口部は、十分な高さを有しており、厚い大きなカードＢの挿入が許される寸法と形状とを形成している。
【００４８】
従って、大きなカードＢは、転倒されたシャッター部材７のシャッター板１４部分の上の、十分な寸法の挿入開口部を通って奥の方にまで挿入されて、大きなカードＢの先端が端壁１１に当たって停止され、所要位置に位置される。このような状態で、大きなカードＢは、下面のパッド部がコンタクト４の接触部４ａと接触されて接続されるようになる。このようにして大きなカードＢが挿入されて装着され、初期の目的である大きなカードＢの使用が可能となる。
【００４９】
次いで、大きなカードＢを取り出すには、上述した小さなカードＡの場合と同様に、そのまま大きなカードＢの端をもって引き抜けば良く、これによって大きなカードＢを好適に抜き出すことができる。
【００５０】
このように、本発明のカードコネクタ１においては、１つのカードコネクタ１によって大小の２種類のカードＡ、Ｂを、カード自体に何等の細工を施さずに、かつ何の支障も無く共通して使用することができる。また、本発明によれば、カードコネクタ１自体を偏平で薄形のハウジング形状の筐体に製作することができて低背化することが可能であり、携帯電話機やカラオケ用マイクのような情報端末機器や各種の電子機器等に好適に使用することが可能である。
【００５１】
さらに、本発明のカードコネクタ１においては、可動部分が、切換機構６のアクチュエータ部材６とシャッター部材７だけで少なく、しかも、端子配列がコンタクト４だけの１列で良く、よりシンプルな構造で、小型化が可能であり、各部材の取換えが容易である等の効果が得られる。
【実施例２】
【００５２】
図８乃至図１８には、本発明のカードコネクタの実施例２が示されており、図８は、本発明の実施例２におけるカードコネクタをカード挿入口側から見た全体の斜視図で、図９はその平面図、図１０は側面図で、図１１は、カード挿入口から見た端面図、図１２は、図８の本発明のカードコネクタを、カバー部材を取外して示す同様な斜視図、図１３は、図８の本発明のカードコネクタに小さなカードを挿入した時の斜視図で、図１４はその平面図、図１５は一部を断面で示す側面図で、図１６は、図８の本発明のカードコネクタに大きなカードを挿入した時の斜視図、図１７はその平面図で、図１８は一部を断面で示す側面図である。
【００５３】
図示されるように、本発明の実施例２におけるカードコネクタ３０は、カバー部材３３と切換機構３５のアクチュエータ部材３６とシャッター部材３７の形状等が、先の実施例１のカードコネクタ１におけるものと一部分が異なっているだけであり、他の構成は、実質的にほぼ同じである。
【００５４】
本発明の実施例２におけるカードコネクタ３０は、コネクタ本体３２と、カバー部材３３と、メモリースティックデュオ（登録商標）のような小さなカード用の前列側の複数個の第１のコンタクト３４Ａと、メモリースティック（登録商標）のような大きなカード用の後列側の複数個の第２のコンタクト３４Ｂと、切換機構３５とを有している。本発明の実施例２におけるカードコネクタ３０のこのような切換機構３５は、アクチュエータ部材３６と、シャッター部材３７と、シャッター部材３７を弾性的に偏倚する片持ち梁状のシャッター押え４０とから構成されている。また、このような本発明のカードコネクタ３０は、例えば情報端末機器等に装着して用いられるように形成されている。
【００５５】
さらに、本発明のカードコネクタ３０は、コネクタ本体３２に組合せられるカバー部材３３によって偏平なハウジング形状の筐体に構成されており、一方の側が開放されていてカード挿入口３９が形成されている。コネクタ本体３２におけるこのカード挿入口３９は、垂直な方向の幅や高さが異なる小さなカードＡと大きなカードＢとに適合するように段差が設けられるのが好適である。また、カード挿入口３９におけるこのような段差は、コネクタ本体３２のベース部４８または側壁５０のいずれかに形成することができ、小さなカードＡや大きなカードＢの裏差しや後挿入を好適に防止することができる。さらに、カードコネクタ３０は、他方の側が端壁５１によって閉鎖されていて、この端壁５１に沿って横方向に後列側の複数個の第２のコンタクト３４Ｂが整列して設けられている。
【００５６】
本発明のカードコネクタ３０において、第１のコンタクト３４Ａと第２のコンタクト３４Ｂには、外部の他の情報端末機器や装置等の端子や、印刷配線基板のプリント回路等とそれぞれ接続するための端子部３４ｃ、３４ｃ’が折曲して設けられている。また、本発明のカードコネクタ３０は、カバー部材３３の両側に設けられた取付用フランジ部４１において、情報端末機器の印刷配線基板等の固定すべき機器や装置にねじ等によって取り付けられる。さらに、カバー部材３３は、上面に開口部３８が設けられると共に、開口部３８の後縁部から前方に向って片持ち梁状に延出している一対のシャッター押え４０が片持ち梁状の板ばねとして設けられている。
【００５７】
本発明のカードコネクタ３０のカード挿入口３９の両側には、切換機構３５の一対のラッチアームのようなアクチュエータ部材３６が設けられると共に、これら両側のアクチュエータ部材３６の間に、開閉可能な閉鎖部材としてのシャッター部材３７が設けられていて、小さなカードＡや大きなカードＢ等の厚さや幅あるいは長さ等の外形寸法の相違に対応して切換え作動することができるように形成されている。
【００５８】
このような本発明のカードコネクタ３０において、コネクタ本体３２は、適宜な合成樹脂材料などの絶縁材料によって成形して作られ、金属薄板材料で作られたカバー部材３３と組合せられて、中空の偏平なハウジング形状の筐体に形成されている。小さなカードＡまたは大きなカードＢは、カードコネクタ３０のカード挿入口３９から挿入され、挿入された小さなカードＡまたは大きなカードＢの下面の先端部に配列されたパッド部とそれぞれ接続されるように第１列の複数個の第１のコンタクト３４Ａと第２列の複数個の第２のコンタクト３４Ｂとが整列して設けられている。
【００５９】
このような第１、第２のコンタクト３４Ａ、３４Ｂは、ほぼ似たような同じ形状をなしていて、図１５、図１８に示されるように、上方に半円形状に彎曲した接触部３４ａ、３４ａ’が自由端部に形成されており、この接触部３４ａ、３４ａ’が、カード挿入口３９から挿入された小さなカードＡまたは大きなカードＢのパッド部と所要位置において弾性的に接触できるように形成されている。さらに、第１のコンタクト３４Ａと第２のコンタクト３４Ｂは、コネクタ本体３２のベース部４８の中程のところに個々に独立して設けられた支持台部５８ａと、端壁５１の内側に個々に独立して設けられた支持台部５８ｂとの上にそれぞれ異なる高さ位置に設置されている。
【００６０】
すなわち、前列側の第１のコンタクト３４Ａは、コネクタ本体３２のベース部４８の支持台部５８ａの上に、ベース部４８の面とほぼ同一面上に位置されており、後列側の第２のコンタクト３４Ｂは、端壁５１の内側の支持台部５８ｂの上に、やや高い位置に設置されている。従って、これら第１のコンタクト３４Ａと第２のコンタクト３４Ｂは、これら個々に独立して形成された支持台部５８ａ、５８ｂのところに固着されるほぼ直角に折曲された脚部３４ｂ、３４ｂ’の垂直部分の長さが異なっている。
【００６１】
このように、これら第１のコンタクト３４Ａと第２のコンタクト３４Ｂの端子部３４ｃ、３４ｃ’は、支持台部５８ａ、５８ｂの後方の縁部に沿って脚部３４ｂ、３４ｂ’のところでほぼ直角に折曲されていて、端子部３４ｃ、３４ｃ’としてそれぞれコネクタ本体３２のベース部４８の底面と同一面に位置するように形成されている。さらに、これら第１のコンタクト３４Ａと第２のコンタクト３４Ｂは、個々に独立した支持台部５８ａ、５８ｂの端壁部に一体的に取り付けられて固着されており、端子部３４ｃ、３４ｃ’が外部機器の端子や印刷回路基板の回路等と接続されるように形成されている。
【００６２】
なお、本実施例においても、例えば小さなカードＡとしてメモリスティックデュオ（登録商標）を使用し、大きなカードＢとしてメモリスティック（登録商標）を使用できるように適用されているが、本発明は何等このようなカードだけの使用にのみ制限されるものではなく、他の同様なメモリカードでも良好に適用できることは勿論である。
【００６３】
本発明のカードコネクタ３０のコネクタ本体３２は、図示されるように、前方が開放されていてカード挿入口３９が形成されているほぼ平らなベース部４８を有しており、このベース部４８の前方左右にカード挿入口３９を形成する直立する支持壁４９がベース部４４の前方角部に設けられている。さらに、コネクタ本体３２は、両側の側壁５０と後方の端壁５１とを有しており、側壁５０の前方の一部が切り欠かれていて切り欠き部５２が設けられており、このようなコネクタ本体３２にカバー部材３３が組み合わされ、これによって偏平な薄い箱形のハウジング形状に形成されるようになっている。さらにまた、側壁５０の前方半分ほどのところには段差５０ａが設けられていて、小さなカードＡのための案内通路壁が形成されている。
【００６４】
さらに、このようなコネクタ本体３２は、ベース部４８の前方両側の開放された切り欠き部５２において、アクチュエータ部材３６がフランジ部５３においてピン４７によって回動可能に枢支されている。さらにまた、アクチュエータ部材３６は、その脚部５５が、コネクタ本体３２の側壁５０の前方の切り欠き部５２の窪み部に係合されていて、脚部５５の内側への動きが制限されている。
【００６５】
図示されるように、このような本発明のカードコネクタ３０において、カード挿入口３９の両側には、切換機構３５のアクチュエータ部材３６がカード挿入口３９のところに切換え部材として設けられており、さらに、シャッター部材３７が、これら切換機構３５の間に回動可能に配置されている。このシャッター部材３７は、横方向に細長い平板状のシャッター板４２から形成されていて、断面が緩やかな稲妻形に折曲されている。
【００６６】
さらに、シャッター部材３７のシャッター板４２は、後部両側の一部が上方に折り曲げられてフランジ部４３が形成されており、このフランジ部４３にラッチ孔４４が設けられている。そして、このラッチ孔４４にアクチュエータ部材３６のラッチ爪５５が係合されるように配設されている。また、シャッター部材３７は、前部両側の一部が下方に折り曲げられていてフランジ部４５が設けられており、このフランジ部４５においてピン４６によってコネクタ本体３２の側壁５０に回動可能に支持されている。
【００６７】
切換機構３５のアクチュエータ部材３６は、断面長方形の細長い角棒状の部材から、ほぼ７の字形、あるいはまた一方の脚部が短い変形したＵ字形に折り曲げて作られており、短い脚部側の端部にフランジ部５３が設けられている。従って、アクチュエータ部材３６は、このフランジ部５３においてピン４７によりコネクタ本体３２の切り欠き部５２に回動可能に枢支されている。
【００６８】
また、このアクチュエータ部材３６の頭部側の、他方の折り曲げられた内側角部がカム部５４として形成されている。さらにまた、アクチュエータ部材３６は、このカム部５４から後方に長く延びる脚部５５に、内側に向って突出する平板状のラッチ部５６が設けられている。このラッチ部５６の内側の先端には、ラッチ爪５７が形成されていて、シャッター部材３７のフランジ部４３のラッチ孔４４にラッチ係合されるように設けられている。
【００６９】
このように、アクチュエータ部材３６は、一端がコネクタ本体３２のカード挿入口３９部分の、切り欠き部５２のところにピン４７によって回動可能に取り付けられている。さらに、アクチュエータ部材３６は、カード挿入口９９側のアクチュエータ部材３６の内側角部がカム部５４として形成されている。従って、このカム部５４に大きなカードＢの両側の角部が当接した時に、アクチュエータ部材３６は、ピン４７を中心にして外方に向って押されて開かれるように作動されるものである。
【００７０】
これによって、アクチュエータ部材３６は、先端に形成されているラッチ部５６のラッチ爪５７がシャッター部材３７のラッチ孔４４から外れて離れるので、このカム部５４に大きなカードＢが当たった時に、大きなカードＢによってアクチュエータ部材３６によるシャッター部材３７のラッチ係合が開放されて、シャッター部材３７が自由にされる。従って、挿入された大きなカードＢは、開放されて自由になったシャッター部材３７を上方に押し上げて奥の方に挿入されるようにできるので、大きなカードＢの完全な挿入が許されて、この大きなカードＢの先端のパッド部が第２のコンタクト３４Ｂと接触されて接続されるように形成されている。
【００７１】
このように構成された本発明のカードコネクタ３０において、小さいカードＡと大きいカードＢを実際に使用する場合について次に説明する。
【００７２】
先ず、小さいカードＡを使用する場合には、図１４乃至図１６に示されるように、本発明のカードコネクタ３０のカード挿入口３９から小さなカードＡが挿入される。
【００７３】
このような小さなカードＡは、例えばメモリスティックデュオ（登録商標）と呼ばれるカードで、図示のように厚さが薄く、長さが短く、幅も小さい等の外形寸法が小さなカードである。この小さなカードＡの場合、幅は、本発明のカードコネクタ３０の一対のアクチュエータ部材３６間の正常の幅に等しい幅をなしており、従って、小さなカードＡを、カードコネクタ３０のカード挿入口３９からカードコネクタ３０内に挿入した時に、小さなカードＡが何の邪魔も無く挿入でき、アクチュエータ部材３６に小さなカードＡが何等当たらないので、アクチュエータ部材３６を動かすことが無い。
【００７４】
従って、アクチュエータ部材３６は、ラッチ部材５６のラッチ爪３７がシャッター部材３７のラッチ孔４４に係合され、シャッター部材３７が下方の位置に保持されて停止されている状態にある。この場合に、板ばねとしてのシャッター押え４０は、シャッター部材３７に当たっておらず、シャッター部材３７を押さえていない。
【００７５】
これによって、小さなカードＡは、アクチュエータ部材３６のカム部５４の間を通ってシャッター部材３７の下を通過し、カードコネクタ３０の内部へと挿入されて、小さなカードＡの先端のパッド部が前列の第１のコンタクト３４Ａのところに接触されて所要の位置に停止される。この状態で、小さなカードＡは、下面のパッド部がコンタクト３４Ａの接触部３４ａと接触されて接続されるようになる。このようにして小さなカードＡを挿入して装着し、所期の目的となる使用が可能となる。
【００７６】
次いで、この小さなカードＡを取り出すには、そのまま小さなカードＡの端をもって引き抜けば良く、これによって小さなカードＡを好適に抜き出すことができる。
【００７７】
次に、大きなカードＢを使用する場合には、図１６乃至図１８に示されるように、本発明のカードコネクタ３０のカード挿入口３９から大きなカードＢが挿入される。
【００７８】
この大きなカードＢは、例えばメモリスティック（登録商標）と呼ばれるカードで、図示のように厚さが厚く、長さも長く、かつ幅も大きい等の外形寸法が大きなカードである。この大きなカードＢの場合には、幅は、本発明のカードコネクタ３０の一対のアクチュエータ部材３６間の正常な幅よりも大きい。従って、大きなカードＢをカード挿入口３９からカードコネクタ３０内に挿入した時に、先ず、この大きなカードＢの先端の角部がアクチュエータ部材３６のカム部５４に当たってカム部５４を押す。このために、アクチュエータ部材３６は、ピン４７を中心にして外方に向って開くように回動されて脚部５５が外方に動くので、ラッチ部５６のラッチ爪５７がシャッター部材３７のフランジ部４３のラッチ孔４４から外れてシャッター部材３７が自由になる。
【００７９】
従って、続いての大きなカードＢの挿入によって、シャッター部材３７のシャッター板４２が上方に押し上げられるようになり、シャッター押え４０によってシャッター板４２が押さえられている図１８に示される状態になる。こうして、大きなカードＢは、シャッター部材３７のシャッター板４２をシャッター押え４０の押圧力に抗して上方に押し上げ、シャッター部材３７の下を通って奥の方にまで挿入されて、大きなカードＢの先端が端壁５１に当たって停止されて所要位置に位置される。この状態で、大きなカードＢは、下面のパッド部が第２コンタクト３４Ｂの接触部３４ａ’と接触されて接続されるようになり、このようにして大きなカードＢが挿入されて装着され、所期の目的である大きなカードＢの使用が可能となる。
【００８０】
次いで、大きなカードＢを取り出すには、上述した小さなカードＡの場合と同様に、そのまま大きなカードＢの端をもって引き抜けば良く、これによって大きなカードＢを好適に抜き出すことができる。
【００８１】
このように、本発明のカードコネクタ３０においては、１つのカードコネクタ３０によって大小の２種類のカードＡ、Ｂを、カード自体に何等の細工を施さずに、かつ何の支障も無く共通して使用することができる。さらに、本発明によれば、カードコネクタ３０自体を偏平で薄形のハウジング形状の筐体に製作することができて低背化することが可能であり、携帯電話機やカラオケ用マイクのような情報端末機器や各種の電子機器等に好適に使用することが可能である。さらにまた、本発明のカードコネクタ３０においては、可動部分が、切換機構３６のアクチュエータ部材３６とシャッター部材３７だけで少なく、しかも第１、第２のコンタクト３４Ａ、３４Ｂを整列して配置してシンプルな構造に製作でき、小型化が可能で、各部材の取換えが容易である等の効果が得られる。
【実施例３】
【００８２】
図１９乃至図２９には、本発明のカードコネクタの実施例３が示されており、図１９は、本発明の実施例３におけるカードコネクタをカード挿入口側から見た全体の斜視図で、図２０はその平面図、図２１は側面図で、図２２側断面図、図２３は、カード挿入口から見た端面図、図２４は、図１９の本発明のカードコネクタを、カバー部材を取外して示す同様な斜視図、図２５は、図２４のカードコネクタにおいてシャッター部材を開いた時の同様な斜視図、図２６は、図２４の本発明のカードコネクタに小さなカードを挿入した時の斜視図で、図２７はその側断面図で、図２８は、図２４の本発明のカードコネクタに大きなカードを挿入した時の斜視図、図２９はその側断面図である。
【００８３】
図示されるように、本発明の実施例３におけるカードコネクタ６０は、切換機構６５のシャッター部材６７ａ、６７ｂが２つ設けられ、大きなカードＢのためのイジェクト機構６８が設けられていること等が先の実施例１と実施例２のカードコネクタ１、３０と異なっており、他の構成は実質的にほぼ同じである。
【００８４】
図１９乃至図２４に示されるように、本発明におけるカードコネクタ６０は、コネクタ本体６２と、カバー部材６３と、複数個の第１のコンタクト６４Ａと第２のコンタクト６４Ｂと、切換機構６５と、イジェクト機構６８とを有している。本発明のカードコネクタ６０の切換機構６５は、アクチュエータ部材６６と、２つのシャッター部材６７ａ、６７ｂと、大きなカードＢを排出するためのイジェクト機構６８とから形成されており、例えば情報端末機器等に装着して用いられるように構成されている。
【００８５】
また、このような本発明のカードコネクタ６０は、コネクタ本体６２に組合せられるカバー部材６３によって、偏平なハウジング形状の筐体に構成されており、一方の側が開放されていてカード挿入口６９が形成されている。コネクタ本体６２におけるこのカード挿入口６９は、垂直な方向の幅や高さが異なる小さなカードＡと大きなカードＢとに適合するように段差が設けられるのが好適である。また、カード挿入口６９におけるこのような段差は、コネクタ本体６２のベース部７８または側壁８０に形成することができ、カード挿入口６９において、小さなカードＡや大きなカードＢの裏差しや後挿入を好適に防止することができる。例えば、本実施例においては、側壁８０の前方半分ほどのところにこの段差８０ａが設けられていて、小さなカードＡのための案内通路壁が形成されている。
【００８６】
さらに、カードコネクタ６０は、他方の側が端壁８１によって閉鎖されていて、この端壁８１に沿って複数個の第２のコンタクト６４Ｂが整列して設けられている。これら第１、第２のコンタクト６４Ａ、６４Ｂには、外部の他の情報端末機器や装置等の端子と接続するための端子部６４ｃ、６４ｃ’が延出するように設けられている。また、本発明のカードコネクタ６０は、カバー部材６３の両側に設けられた取付用フランジ部７４において、情報端末機器の印刷配線基板等の固定すべき機器や装置にねじ等によって取り付けられる。
【００８７】
本発明のカードコネクタ６０のカード挿入口６９の両側には、切換機構６５の一対のラッチアームのようなアクチュエータ部材６６が設けられると共に、これらアクチュエータ部材６６の間に、閉鎖部材としての２つのシャッター部材６７ａ、６７ｂが設けられていて、小さなカードＡや大きなカードＢ等の厚さや幅、あるいは長さ等の外形寸法の相違に対応して切換え作動するように形成されている。
【００８８】
このような本発明のカードコネクタ６０において、コネクタ本体６２は、適宜な合成樹脂材料などの絶縁材料によって成形して作られ、金属薄板材料で作られたカバー部材６３と組合せられて、中空の偏平なハウジング形状の筐体に形成されている。小さなカードＡまたは大きなカードＢは、本発明のカードコネクタ６０のカード挿入口６９から挿入され、挿入された小さなカードＡまたは大きなカードＢの下面の先端部に配列されたパッド部と接続されるように複数個の第１のコンタクト６４Ａと、第２のコンタクト６４Ｂとが整列して設けられている。
【００８９】
このような第１、第２のコンタクト６４Ａ、６４Ｂは、ほぼ同じような形状をなしていて、上方に半円形状に彎曲した接触部６４ａ、６４ａ’が前方側となる自由端部に形成されている。この接触部６４ａ、６４ａ’がカード挿入口６９から挿入された小さなカードＡまたは大きなカードＢのパッド部とそれぞれ所要位置において弾性的に接触できるように形成されている。
【００９０】
すなわち、第１のコンタクト６４Ａは、コネクタ本体６２のベース部７８の中程に個々に独立して設けられた支持台部７７ａ上に設置され、第２のコンタクト６４Ｂは、コネクタ本体６２の後方に、同様に個々に独立して設けられた支持台部７７ｂ上に配置されている。なお、この支持台部７７ｂは、図２２、図２３に示されるように、支持台部７７ａよりも高くなっている。
【００９１】
従って、第２のコンタクト６４Ｂは、第１のコンタクト６４Ａよりも高い位置に設置されている。さらに、これら第１、第２のコンタクト６４Ａ、６４Ｂは、中間の脚部６４ｂ、６４ｂ’において支持台部７７ａ、７７ｂにそれぞれ一体的に取付けられて固着されている。また、外部機器と接続される端子部６４ｃ、６４ｃ’がコネクタ本体６２のベース部６８の底面と同一面上に位置するように形成されている。
【００９２】
なお、本実施例において、本発明のカードコネクタ６０に用いられている小さなカードＡと大きなカードＢは、例えば小さなカードＡとしてメモリスティックデュオ（登録商標）が使用され、大きなカードＢとしてメモリスティック（登録商標）が使用できるが、本発明は何等このようなカードだけの使用にのみ制限されるものではなく、これらメモリスティック等の外に、ＳＤカードやＩＣカード、ＳＩＭカード等の他の同様なメモリカードでも良好に適用できることは勿論である。
【００９３】
図示されるように、このような本発明のカードコネクタ６０において、カード挿入口６９の両側には、切換機構６５のアクチュエータ部材６６がカード挿入口６９の両側のところにそれぞれ設けられており、さらに、２つのシャッター部材６７ａ、６７ｂが、これらアクチュエータ部材６６の間に回動可能に配置されている。
【００９４】
アクチュエータ部材６６は、金属板の帯状の細長い条片部材をほぼＵ字形に折り曲げて弾性変形可能に形成されており、外側の脚部７０が短くて側壁８０に取外し可能に固着されている。さらに、アクチュエータ部材６６は、内側の脚部７１が長く形成されており、第１のラッチ爪７２ａと第２のラッチ爪７２ｂが設けられている。従って、アクチュエータ部材６６のこれら第１、第２のラッチ爪７２ａ、７２ｂが第１、第２のシャッター部材６７ａ、６７ｂの内側面にそれぞれ係合されることによって、第１、第２のシャッター部材６７ａ、６７ｂを固持するように形成されている。このようなアクチュエータ部材６６は、切換え部材である。
【００９５】
また、アクチュエータ部材６６の折曲部の内側角部にカム部７３が形成されており、大きなカードＢの角部がこのカム部７３に当接して押した時に、アクチュエータ部材６６の長い方の脚部７１が外方に開かれる方向に作動されるように弾性変形される。これによって、アクチュエータ部材６６は、第１、第２のラッチ爪７２ａ、７２ｂが第１、第２のシャッター部材６７ａ、６７ｂから外れて、ラッチ係合が開放されるように形成されている。
【００９６】
これら第１、第２のシャッター部材６７ａ、６７ｂは、横方向に細長い板部材からそれぞれ形成されており、各板部材の両端から横方向に突出する支持ピン部７５ａ、７５ｂが設けられている。また、これら支持ピン部７５ａ、７５ｂは、一部が半円形に切り欠かれており、支持ピン部７５ａ、７５ｂの円形部分においてコネクタ本体６２の側壁８０に回動可能に支持されている。なお、支持ピン部７５ａ、７５ｂの半円形部分には、コネクタ本体６２の側壁８０に植設された直立した板ばね状の押さえピン７６ａ、７６ｂによって押圧、係合されている。
【００９７】
従って、大きなカードＢの先端部がアクチュエータ部材６６の角部のカム部７３に当接した時に、アクチュエータ部材６６の長い方の脚部７１が外方に開かれるように弾性変形される。これによって、第１、第２のラッチ爪７２ａ、７２ｂが第１、第２のシャッター部材６７ａ、６７ｂから外れてラッチ係合が開放されるようになる。続いて、大きなカードＢがさらに挿入されると、この大きなカードＢの先端部が第１、第２のシャッター部材６７ａ、６７ｂを上方に押し上げて、シャッター部材６７ａ、６７ｂを支持ピン部７５ａ、７５ｂ周りにそれぞれ回動して図２５の平らな状態になるように形成されている。
【００９８】
この図２５の状態において、大きなカードＢはさらに奥に挿入できるようになり、大きなカードＢのパッド部が第２のコンタクト６４Ｂと接触されるようにして装着される。さらにまた、このような大きなカードＢを挿入して第２のコンタクト６４Ｂと接触させると共に、大きなカードＢの排出を行うためにイジェクト機構６８が設けられている。
【００９９】
大きなカードＢを排出するためのこのようなイジェクト機構６８は、コネクタ本体６２の一方の側壁８０に沿って形成された切り欠き部８２を滑動可能に装着されたスライダとしてのイジェクト部材８３と、このイジェクト部材８３によって押圧されて弾性変形されるコイルスプリングのようなばね部材８４と、イジェクト部材８３の上面に形成されたハート形カム８５と、このハート形カム８５の周りに形成されたカム溝８６に一方の端部９０がカム係合されるカムレバー８７とを有している。
【０１００】
また、イジェクト部材８３の内側の一端には、カードＢの角部が係合するカード受け部８８が設けられると共に、ばね部材８４の一方の端部を受けて収納するための窪み孔形状のばね収納部８７が設けられている。このイジェクト部材８３のカード受け部８８は、大きなカードＢの裏返し挿入を防止するために、角部が面取り等によって切り落された大きなカードＢを受けて良好に係合できるように形成されている。従って、大きなカードＢを裏返しに挿入した時には、大きなカードＢの切り欠かれていない角部がカード受け部８８に当接するために両部材が合致せず、これによって大きなカードＢの裏差しを防止することができる。
【０１０１】
さらにまた、カムレバー８７の他方の端部９１は、コネクタ本体６２の側壁８０に回動可能に取り付けられている。従って、カードＢが挿入されて押し込まれてイジェクト部材８３が滑動される時に、カムレバー８７の一方の端部９０にカム溝８６が沿ってイジェクト部材８３が相対的に移動されるようになる。このために、大きなカードＢが挿入されて押し込まれて、端壁８１に当接した時に、大きなカードＢは、僅かに押し戻されて、カムレバー８７のこの端部９０が、ハート形カム８５の頭部の凹み部９２に位置されるようになっている。
【０１０２】
従って、この凹み部９２の位置において、イジェクト部材８３がばね部材８４により押されているために、この凹み部９２にカムレバー８７の端部９０が当接する位置に、ほぼ固定して保持されるようになる。これによって、挿入された大きなカードＢは、挿入位置に固持されて、大きなカードＢのパッド部が第２コンタクト６４Ｂに接触された状態が保持されるようになる。
【０１０３】
また、カバー部材６３には、カムレバー押え９３が片持ち梁状の板ばねとして形成されており、これによってカムレバー８７が弾性的に押されていて、カムレバー８７の端部９０がカム溝８６から外れて飛出さないように良好に保持されている。
【０１０４】
このように本発明のこの実施例３のカードコネクタ６０に装着された大きなカードＢを排出させて取り出すためには、カードコネクタ６０に装着されている大きなカードＢを一度僅かに押して大きなカードＢのラッチ係合を解除しておいて取り出すようになる。すなわち、カードコネクタ６０に装着されている大きなカードＢを一度僅かに押すと、ハート形カム８５の凹み部９２に位置していたカムレバー８７の端部９０から、ハート形カム８５の凹み部９２が離れて端部９０が横方向に動いて凹み部９２から外れる。
【０１０５】
これによって、カムレバー８７の端部９０が自由になってカム溝８６に沿うようになるので、この状態でイジェクト部材８３がばね部材８４によって押されて滑動されるようになる。従って、イジェクト部材８３は、カードコネクタ６０の中程の位置にまで押されて移動されるので、これによって大きなカードＢが半分ほど排出されるようになる。
【０１０６】
続いて、このように半分ほど排出された大きなカードＢの端部を持って引き出せば、大きなカードＢはカードコネクタ６０から完全に排出されるようになる。こうして、大きなカードＢがカードコネクタ６０から完全に排出されると、シャッター部材６７ａ、６７ｂは下方の閉鎖位置へと回動し、アクチュエータ部材６６も元の状態に戻ってラッチ爪７２ａ、７２ｂがシャッター部材６７ａ、６７ｂの背面に係合してシャッター部材６７ａ、６７ｂをラッチして固定する。
【０１０７】
このように構成された本発明のカードコネクタ６０において、小さいカードＡと大きいカードＢを実際に使用する場合について次に説明する。
【０１０８】
先ず、小さなカードＡを使用する場合には、図２６および図２７に示されるように、本発明のカードコネクタ６０のカード挿入口６９から小さなカードＡが挿入される。
【０１０９】
このような小さなカードＡは、図示のように厚さが薄く、長さが短く、幅も小さい等の外形寸法が小さなカードである。この小さなカードＡの場合、幅は、本発明のカードコネクタ６０の一対のアクチュエータ部材６６間の正常の幅にほぼ等しいか僅かに小さい幅をなしている。従って、小さなカードＡを、図示されるようにカードコネクタ６０のカード挿入口６９からカードコネクタ６０内に挿入される時に、小さなカードＡが挿入でき、アクチュエータ部材６６に小さなカードＡが何等当たらないので、アクチュエータ部材６６を動かすことが無い。従って、アクチュエータ部材６６は、自己弾性力によって内方に向って偏倚されてシャッター部材６７ａ、６７ｂの側部に当たって停止されており、ラッチ爪７２ａ、７２ｂがシャッター部材６７ａ、６７ｂの背面に係合されている図２６、図２７の状態になる。
【０１１０】
また、小さなカードＡは、この状態において、シャッター部材６７ａ、６７ｂの端面とベース部７８との間に挿入されていて、小さなカードＡの先端部のパッド部が第１のコンタクト６４Ａと接触されて接続されている。このような状態において、薄い小さなカードＡは、カードコネクタ６０内に自由に挿入することができる。このようにして小さなカードＡを挿入して装着して、所期の目的となる使用が可能となる。
【０１１１】
次いで、小さなカードＡを取り出すには、そのまま小さなカードＡの端をもって引き抜けば良く、これによって小さなカードＡをカードコネクタ６０から好適に抜き出すことができる。
【０１１２】
続いて、大きなカードＢを使用する場合には、図２８および図２９に示されるように、本発明のカードコネクタ６０のカード挿入口６９から大きなカードＢが挿入される。
【０１１３】
この大きなカードＢは、図示のように厚さが厚く、長さも長く、かつ幅も大きい等の外形寸法が大きなカードである。この大きなカードＢの場合には、幅は、本発明のカードコネクタ６０の一対のアクチュエータ部材６６間の正常な幅よりも大きい。従って、大きなカードＢをカード挿入口６９からカードコネクタ６０内に挿入すれば、先ず、大きなカードＢの先端の角部がアクチュエータ部材６６のカム部７３に当たって押すようになる。このために、アクチュエータ部材６６は、弾性変形して内側の長い方の脚部７１が外方に向って開くように動いて、ラッチ爪７２ａ、７２がシャッター部材６７ａ、６７ｂの背面から離れて、ラッチ係合が外れるようになる。
【０１１４】
続いて、大きなカードＢの先端部がシャッター部材６７ａ、６７ｂを順に押し上げながらカードコネクタ６０内に挿入される。やがて、大きなカードＢの先端部の一方の面取りされて切り落とされた角部が、イジェクト部材８３のカード受け部８８に係合して合致し、続いての大きなカードＢの挿入によってイジェクト部材８３が押されて奥の方にまで滑動される。この時に、カムレバー８７の端部９０がイジェクト部材８３のカム溝８６に沿って倣うようにイジェクト部材８３が滑動される。
【０１１５】
やがて、カムレバー８７の端部９０がカム溝８６の凹み部９２のところに位置するようになって、この凹み部９２においてカムレバー８７の端部８６が当接して保持され、イジェクト部材８３が固定される。この状態が、図２８と図２９に示される状態であり、このような状態において、大きなカードＢが完全に挿入されて大きなカードＢの下面のパッド部がコンタクト６４Ｂの接触部６４ａ’と接触されて接続されるようになる。このようにして大きなカードＢが挿入されて装着され、所期の目的である大きなカードＢの使用が可能となる。
【０１１６】
次いで、大きなカードＢを取り出すには、上述したように一度、大きなカードＢを僅かに押してイジェクト機構６８による大きなカードＢのラッチ係合を解除しておいて取り出すようになる。すなわち、カードコネクタ６０に装着されているおおきなカードＢを一度僅かに押すと、ハート形カム８５の凹み部９２に位置していたカムレバー８７の端部９０は、ハート形カム８５の凹み部９２から横方向に動いて凹み部９２から外れる。これによって、カムレバー８７の端部９０が自由になってカム溝８６に沿うようになるので、この状態でイジェクト部材８３がばね部材８４によって押されて滑動されるようになる。従って、イジェクト部材８３は、カードコネクタ６０の中程の位置にまで押されて移動されるので、これによって、大きなカードＢが半分ほど排出されるようになる。続いて、半分ほど排出された大きなカードＢの端部を持って引き出せば、大きなカードＢは、カードコネクタ６０から完全に排出されるようになる。こうして、大きなカードＢがカードコネクタ６０から完全に排出されると、シャッター部材６７ａ、６７ｂは、下方の閉鎖位置へと回動し、アクチュエータ部材６６も元の状態に戻って、ラッチ爪７２ａ、７２ｂがシャッター部材６７ａ、６７ｂの背面に係合してシャッター部材６７ａ、６７ｂをラッチして固定する。
【０１１７】
このように、本発明のカードコネクタ６０においては、１つのカードコネクタ６０によって大小の２種類のカードＡ、Ｂを、カード自体に何等の細工を施さずに、かつ何の支障も無く、共通して使用することができる。また、本発明によれば、カードコネクタ６０自体を偏平で薄形のハウジング形状の筐体に製作することができ、携帯電話機やカラオケ用マイクのような情報端末機器や各種の電子機器等に好適に使用することが可能である。さらに、本発明のカードコネクタ６０においては、可動部分が、切換機構６５のアクチュエータ部材６６とシャッター部材６７ａ、６７ｂとイジェクト機構６８のイジェクト部材８３だけで少なく、しかもシンプルな構造に形成できて、小型化が可能であり、各部材の取換えが容易である等の効果が得られる。
【実施例４】
【０１１８】
図３０乃至図３５には、本発明のカードコネクタの実施例４が示されており、図３０は、本発明の実施例４におけるカードコネクタの平面図で、図３１は、図３０のカードコネクタの側面図であり、図３２はその側断面図、図３３は、カード挿入口側から見た端面図で、図３４は、図３０の本発明のカードコネクタに大きなカードを挿入する時の、カバー部材を取外して示す斜視図、図３５は、図３０の本発明のカードコネクタに小さなカードを挿入した時に、シャッター部材が閉じてカードの挿入が阻止される状態を、カバー部材を取外して示す同様な斜視図である。
【０１１９】
図３１乃至図３４に示されるように、本発明の実施例４におけるカードコネクタ１００は、切換機構１０５のシャッター部材１０６が１つ設けられると共に、大きなカードＢのためのイジェクト機構１０８が設けられている。このカードコネクタ１００においては、大きなカードＢの挿入が許されるが、小さなカードＡの挿入が阻止されて、適合する大きなカードＢと適合しない小さなカードＡとを区別して挿入を許したり、許さないようにすること等が先の実施例１乃至実施例３のカードコネクタ１、３０、６０と異なっており、他の部分的な構成は実質的にほぼ同じである。
【０１２０】
図３０乃至図３４に示されるように、本発明におけるカードコネクタ１００は、コネクタ本体１０２と、カバー部材１０３と、複数個のコンタクト１０４と、切換機構１０５と、イジェクト機構１０８とを有している。本発明のカードコネクタ１００の切換機構１０５は、アクチュエータ部材１０６と、１つのシャッター部材１０７と、大きなカードＢを排出するためのイジェクト機構１０８とから形成されており、例えば情報端末機器等に装着して用いられるように構成されている。
【０１２１】
また、このような本発明のカードコネクタ１００は、コネクタ本体１０２に組合せられるカバー部材１０３によって偏平なハウジング形状の筐体に構成されており、一方の側が開放されていてカード挿入口１０９が形成されている。
【０１２２】
さらに、本発明のカードコネクタ１００は、他方の側が端壁１２１によって閉鎖されていて、この端壁１２１に沿って複数個のコンタクト１０４が整列して設けられている。これらコンタクト１０４には、外部の他の情報端末機器や装置等の端子と接続するための端子部１０４ｃが延出するように設けられている。また、これらコンタクト１０４は、個々に独立した支持台部１１７の上にそれぞれ設置されている。これによって、本実施例の場合には、コンタクト１０４は、大きなカードＢの接触パッドと接触して電気的に接続されるようになっている。さらにまた、このようなコンタクト１０４の支持台部１１７は、カードＢの逆挿入を防止することができるようになっている。
【０１２３】
さらに、本発明のカードコネクタ１００は、カバー部材１０３の両側に設けられた取付用フランジ部１１４において、情報端末機器の印刷配線基板等の固定すべき機器や装置にねじ等によって取り付けられる。
【０１２４】
本発明のカードコネクタ１００のカード挿入口１０９の両側には、切換機構１０５の一対のラッチアームのようなアクチュエータ部材１０６が設けられると共に、これらアクチュエータ部材１０６の間に、閉鎖部材としての１つのシャッター部材１０７が設けられていて、小さなカードＡや大きなカードＢ等の厚さ等の外形寸法の相違に対応して切換え作動して、大きなカードＢの挿入は許すが、小さなカードＡに対してはシャッター部材１０７が開かずに閉じていて、小さなカードＡの挿入を阻止するように小さなカードＡと大きなカードＢとの使用を区別するように形成されている。このような切換機構１０５のアクチュエータ部材１０６とシャッター部材１０７が、本実施例における可動部材を形成している。
【０１２５】
このような本発明の実施例４のカードコネクタ１００において、コネクタ本体１０２は、同様に適宜な合成樹脂材料などの絶縁材料によって成形して作られ、金属薄板材料で作られたカバー部材１０３と組合せられて、中空の偏平なハウジング形状の筐体に形成されている。小さなカードＡや大きなカードＢは、本発明のカードコネクタ１００のカード挿入口１０９から挿入される。そして、挿入が許された大きなカードＢの下面の先端部に配列されたパッド部と接続されるように複数個のコンタクト１０４が、カードコネクタ１００内の奥の端壁１２１に沿って整列して設けられている。
【０１２６】
このようなコンタクト１０４は、ほぼ同じような形状をなしていて、上方に半円形状に彎曲した接触部１０４ａが前方側の自由端部に形成されており、この接触部１０４ａがカード挿入口１０９から挿入された大きなカードＢのパッド部とそれぞれ所要位置において弾性的に接触できるように形成されている。
【０１２７】
すなわち、コンタクト１０４は、コネクタ本体１０２のベース部１１８の奥に個々に独立して設けられた支持台部１１７上に設置されている。
【０１２８】
従って、これらコンタクト１０４は、中間の脚部１０４ｂにおいて支持台部１１７にそれぞれ一体的に取付けられて固着されており、外部機器と接続される端子部１０４ｃがコネクタ本体１０２のベース部１１８の底面と同一面上に位置するように形成されている。
【０１２９】
なお、本実施例において、本発明のカードコネクタ１００に対して適用されるように説明される小さなカードＡと大きなカードＢは、上述したように、例えば小さなカードＡとしてメモリスティックデュオ（登録商標）が適用され、大きなカードＢとしてメモリスティック（登録商標）が適用されているが、本発明は何等このようなカードだけの適用にのみ制限されるものではなく、これらメモリスティック等の外に、ＳＤカードやＩＣカード、ＳＩＭカード等の他の同様なメモリカードでも良好に適用できることは勿論である。
【０１３０】
図示されるように、このような本発明のカードコネクタ１００において、カード挿入口１０９の両側には、切換機構１０５のアクチュエータ部材１０６が切換え部材として、カード挿入口１０９の両側のところにそれぞれ設けられている。さらに、シャッター部材１０７が、これらアクチュエータ部材１０６の間に回動可能に配置されている。
【０１３１】
アクチュエータ部材１０６は、金属板の帯状の細長い条片部材をほぼＵ字形に折り曲げて弾性変形可能に形成されており、外側の脚部１１０が短くて側壁１２０に取外し可能に固着されていて、内側の脚部１１１が長く形成されており、ラッチ爪１１２が設けられている。従って、アクチュエータ部材１０６のラッチ爪１１２がシャッター部材１０７の両側の内側面に係合されることによってシャッター部材１０７を固持するように形成されている。
【０１３２】
また、アクチュエータ部材１０６の折り曲げられた内側角部にカム部１１３が形成されており、大きなカードＢの角部がこのカム部１１３に当接して押した時に、アクチュエータ部材１０６の長い方の脚部１１１が外方に開かれる方向に作動されるように弾性変形される。これによって、ラッチ爪１１２がシャッター部材１０７から外れてラッチ係合が開放されるように形成されている。
【０１３３】
このようなシャッター部材１０７は、横方向に細長い板部材から形成されており、板部材の両端から横水平方向に突出する支持ピン部１１５が設けられている。また、支持ピン部１１５は、一部が半円形に切り欠かれており、支持ピン部１１５の円形部分においてコネクタ本体１０２の側壁１２０に回動可能に支持されている。なお、支持ピン部１１５の半円形部分には、コネクタ本体１０２の側壁１２０に、上方に向って延びるように植設された直立した板ばね状の押さえピン１１６によって押圧、係合されている。このため、シャッター部材１０７は、常時は、下方に垂下した状態にあって、カードコネクタ１００のカード挿入部分を閉鎖しており、この閉鎖状態にラッチ爪１１２によって固持されている。
【０１３４】
従って、シャッター部材１０７が閉鎖している本実施例のカードコネクタ１００において、大きなカードＢを挿入した時には、大きなカードＢの先端部がアクチュエータ部材１０６の角部のカム部１１３に先ず当接する。そして、大きなカードＢの角部がカム部１１３に当接した時に、アクチュエータ部材１０６の長い方の脚部１１１が外方に開かれるように弾性変形される。これにより、ラッチ爪１１２がシャッター部材１０７から外れて、ラッチ係合が開放されるようになる。続いて、大きなカードＢがさらに挿入されると、この大きなカードＢの先端部がシャッター部材１０７を上方に押し上げて、シャッター部材１０７を支持ピン部１１５周りに回動して図３４の平らな状態になるように形成されている。
【０１３５】
従って、この図３４の状態において、大きなカードＢはさらに奥に挿入できるようになり、大きなカードＢのパッド部がコンタクト１０４と接触されるようにして装着される。さらにまた、このような大きなカードＢを挿入してコンタクト１０４と接触させると共に、この大きなカードＢの排出を行うためにイジェクト機構１０８が設けられている。
【０１３６】
大きなカードＢを排出するためのこのようなイジェクト機構１０８は、コネクタ本体１０２の一方の側壁１２０に沿って形成された切り欠き部１２２を滑動可能に装着されたスライダとしてのイジェクト部材１２３と、このイジェクト部材１２３によって押圧されて弾性変形されるコイルスプリングのようなばね部材１２４と、イジェクト部材１２３の上面に形成されたハート形カム１２５と、このハート形カム１２５の周りに形成されたカム溝１２６に一方の端部１３０がカム係合されるカムレバー１２７とを有している。
【０１３７】
また、イジェクト部材１２３の内側の一端には、カードＢの角部が係合するカード受け部１２８が設けられると共に、ばね部材１２４の一方の端部を受けてばね部材１２４を収納するための窪み孔の形状のばね収納部１２７が設けられている。このイジェクト部材１２３のカード受け部１２８は、大きなカードＢの裏返し挿入を防止するために、角部が面取り等によって切り落された大きなカードＢを受けて良好に係合できるように形成されている。従って、大きなカードＢを裏返しに挿入した時には、大きなカードＢの切り欠かれていない角部がカード受け部１２８に当接するために、大きなカードＢの角部とカード受け部１２８とが合致せず、これによって大きなカードＢの裏差しを防止することができる。
【０１３８】
さらにまた、カムレバー１２７の他方の端部１３１は、コネクタ本体１０２の側壁１２０に回動可能に取り付けられている。従って、カードＢが挿入されて押し込まれてイジェクト部材１２３が滑動される時に、カムレバー１２７の一方の端部１３０にカム溝１２６が沿ってイジェクト部材１２３が相対的に移動されるようになる。このために、大きなカードＢが挿入されて押し込まれて、端壁１２１に当接した時に、大きなカードＢは、僅かに押し戻されて、カムレバー１２７のこの端部１３０が、ハート形カム１２５の頭部の凹み部１３２に位置されるようになっている。
【０１３９】
従って、この凹み部１３２の位置において、イジェクト部材１２３がばね部材１２４により押されているために、この凹み部１３２にカムレバー１２７の端部１３０が当接する位置に、ほぼ固定して保持されるようになる。これによって、挿入された大きなカードＢは、挿入位置に固持されて、大きなカードＢのパッド部がコンタクト１０４に接触されて接続された状態が保持されるようになる。
【０１４０】
また、カバー部材１０３には、カムレバー押え１３３が片持ち梁状の板ばねとして形成されており、これによってカムレバー１２７が弾性的に押されていて、カムレバー１２７の端部１３０がカム溝１２６から外れて飛出さないように良好に保持されている。
【０１４１】
このように本発明のこの実施例４のカードコネクタ１００に装着された大きなカードＢを排出させて取り出すためには、カードコネクタ１００に装着されている大きなカードＢを一度僅かに押して大きなカードＢのラッチ係合を解除しておいて取り出すようになる。すなわち、カードコネクタ１００に装着されている大きなカードＢを一度僅かに押すと、ハート形カム１２５の凹み部１３２に位置していたカムレバー１２７の端部１３０から、ハート形カム１２５の凹み部１３２が離れて端部１３０が横方向に動いて凹み部１３２から外れる。
【０１４２】
これによって、カムレバー１２７の端部１３０が自由になってカム溝１２６に沿うようになるので、この状態でイジェクト部材１２３がばね部材１２４によって押されて滑動されるようになる。従って、イジェクト部材１２３は、カードコネクタ１００の中程の位置にまで押されて移動されるので、これによって大きなカードＢがほぼ半分ほど排出されるようになる。
【０１４３】
続いて、このように半分ほど排出された大きなカードＢの端部を持って引き出せば、大きなカードＢはカードコネクタ１００から完全に外方に排出されるようになる。こうして、大きなカードＢがカードコネクタ１００から完全に排出されると、シャッター部材１０７は下方の閉鎖位置へと回動し、アクチュエータ部材１０６も元の状態に戻ってラッチ爪１１２がシャッター部材１０７の背面に係合してシャッター部材１０７をラッチして固定する。
【０１４４】
このように構成された本発明の実施例４のカードコネクタ１００において、小さいカードＡと大きいカードＢが実際に適用される場合について次に説明する。
【０１４５】
先ず、小さなカードＡが適用される場合には、図３５に示されるように、本発明のカードコネクタ１００のカード挿入口１０９に小さなカードＡの先端部が挿入されるようになる。
【０１４６】
このような小さなカードＡは、図示のように厚さが薄く、長さが短く、幅も小さい等の外形寸法が小さなカードである。この小さなカードＡの場合、幅は、本発明のカードコネクタ１００の一対のアクチュエータ部材１０６間の規定の幅にほぼ等しい幅をなしている。従って、小さなカードＡを、図示されるようにカードコネクタ１００のカード挿入口１０９からカードコネクタ１００内に挿入される時に、小さなカードＡは、アクチュエータ部材１０６に何等当たらないので、アクチュエータ部材１０６を動かすことが無い。従って、アクチュエータ部材１０６は、自己弾性力によって内方に向って偏倚されている。このために、アクチュエータ部材１０６は、先端部がシャッター部材１０７の側部に当たって停止されており、ラッチ爪１１２がシャッター部材１０７の背面に係合されている図示の状態になる。これにより、シャッター部材１０７は閉じたままであり、この閉鎖状態においてアクチュエータ部材１０６のラッチ爪１１２によりラッチされて固定されている。
【０１４７】
従って、小さなカードＡは、閉鎖した状態のシャッター部材１０７の正面に当たってシャッター部材１０７を押しても中に入ることができず、挿入が阻止される。このようにして、小さなカードＡの使用が不可能である。従って、大きなカードＢのみを使用することが求められる本発明の実施例４におけるカードコネクタ１００においては、小さなカードＡの挿入を許さずに阻止して、異種カードの使用をはばむように阻止する所期の目的を達成することができる。
【０１４８】
このように、本発明の実施例４におけるカードコネクタ１００は、切換機構１０５のシャッター部材１０７によって、当該カードコネクタ１００に使用する大きなカードＢの挿入のみを許し、他の不適切な小さなカードＡ等の挿入を阻止してカードの使用区別を行う等の目的を達成するものである。
【０１４９】
上述したように構成される本発明の実施例４におけるカードコネクタ１００において、使用が求められる大きなカードＢを使用する場合には、図３４に示されるように、本実施例のカードコネクタ１００のカード挿入口１０９から大きなカードＢが挿入される。
【０１５０】
この大きなカードＢは、図示のように厚さが厚く、長さも長く、かつ幅も大きい等の外形寸法が大きなカードである。このような大きなカードＢの場合には、幅は、本発明のカードコネクタ１００の一対のアクチュエータ部材１０６間の規定の幅よりも大きい。従って、大きなカードＢをカード挿入口１０９からカードコネクタ１００内に挿入すれば、先ず、大きなカードＢの先端の角部がアクチュエータ部材１０６のカム部１１３に当たって押すようになる。このために、アクチュエータ部材１０６は、弾性変形して内側の長い方の脚部１１１が外方に向って開くように動く。これによって、アクチュエータ部材１０６のラッチ爪１１２がシャッター部材１０７の背面から離れて、ラッチ係合が外れるようになる。
【０１５１】
続いて、大きなカードＢを押し込めば、大きなカードＢの先端部がシャッター部材１０７を上方に押し上げながらカードコネクタ１００内に挿入される。やがて、大きなカードＢの先端部の一方の面取りされて切り落とされた角部が、イジェクト部材１２３のカード受け部１２８に係合して合致し、続いての大きなカードＢの挿入によってイジェクト部材１２３が押されて奥の方にまで滑動される。この時に、カムレバー１２７の端部１３０がイジェクト部材１２３のカム溝１２６に沿って倣うようにイジェクト部材１２３が滑動される。
【０１５２】
やがて、カムレバー１２７の端部１３０がカム溝１２６の凹み部１３２のところに位置するようになって、この凹み部１３２においてカムレバー１２７の端部１２６が当接して保持され、イジェクト部材１２３が固定される。この状態が、図３０に破線で示される状態であり、このような状態において、大きなカードＢが完全に挿入されて大きなカードＢの下面のパッド部がコンタクト１０４の接触部１０４ａと接触されて接続されるようになる。このようにして大きなカードＢが挿入されて装着され、所期の目的である大きなカードＢの使用が可能となる。
【０１５３】
次いで、大きなカードＢを取り出すには、上述したように一度、大きなカードＢを僅かに押してイジェクト機構１０８による大きなカードＢのラッチ係合を解除しておいて取り出すようになる。すなわち、カードコネクタ１００に装着されている大きなカードＢを一度僅かに押すと、ハート形カム１２５の凹み部１３２に位置していたカムレバー１２７の端部１３０は、ハート形カム１２５の凹み部１３２から横方向に動いて凹み部１３２から外れる。これによって、カムレバー１２７の端部１３０が自由になってカム溝１２６に沿うようになるので、この状態で、押していた大きなカードＢを離して自由にすると、イジェクト部材１２３がばね部材１２４によって押されて滑動されるようになる。従って、イジェクト部材１２３は、カードコネクタ１００の中程の位置にまで押されて移動されるので、これによって、大きなカードＢがほぼ半分ほど排出されるようになる。続いて、半分ほど排出された大きなカードＢの端部を持って引き出せば、大きなカードＢは、カードコネクタ１００から完全に排出されるようになる。こうして、大きなカードＢがカードコネクタ１００から完全に排出されると、シャッター部材１０６は、下方の閉鎖位置へと回動し、アクチュエータ部材１０６も元の状態に戻って、ラッチ爪１１２がシャッター部材１０７の背面に係合してシャッター部材１０７をラッチして固定する。
【０１５４】
このように、本発明のカードコネクタ１００においては、１つのカードコネクタ１００によって大小の２種類のカードＡ、Ｂを、カード自体に何等の細工を施さずに、かつ何の支障も無く、適切なカードの使用を許し、不適切なカードの使用を阻止することができ、カードの使用を区別することができる。また、本発明によれば、カードコネクタ１００自体を偏平で薄形のハウジング構造の筐体に製作することができ、携帯電話機やカラオケ用マイクのような情報端末機器や各種の電子機器等に好適に使用することが可能である。さらに、本発明のカードコネクタ１００においては、可動部分が、切換機構１０５のアクチュエータ部材１０６とシャッター部材１０６とイジェクト機構１０８のイジェクト部材１２３だけで少なく、しかもシンプルな構造に形成できて、小型化が可能であり、各部材の取換えが容易である等の効果が得られる。
【０１５５】
（変形例１）
図３６と図３７は、本発明の実施例１のカードコネクタの変形例を示す図で、図３６は、カバー部材を取外して示すカード挿入口側から見た斜視図、図３７は、図３６のカードコネクタのカード挿入口側からの端面図である。
【０１５６】
図示されるように、この変形例１においては、切換機構５Ａのアクチュエータ部材６ａのカム面２６ａが、上方から下方に末広がり形状に傾斜していることだけが、上記の実施例１と異なっているものであり、他は、実質的に同じである。
【０１５７】
すなわち、図示されるように、本発明のこの変形例１におけるカードコネクタ１Ａは、コネクタ本体２とカバー部材３とを組み合わせて筐形のコネクタハウジングを形成しており、内部に複数個のコンタクト４が配列されていると共に、カード挿入口９の両側に切換機構５Ａが配設されている。
【０１５８】
カード挿入口９の両側に配設された切換機構５Ａは、ピン１３ａによってコネクタ本体２に対して回動可能に取り付けられたブロック状のアクチュエータ部材６ａを有している。このアクチュエータ部材６ａは、カード挿入口９側の角部が、切り落されると共に、上方から下方に向って末広がり形状に傾斜するように形成されたカム面２６ａが設けられている。また、アクチュエータ部材６ａは、先端にラッチ部２５ａを有している。
【０１５９】
このように、本発明の変形例１におけるカードコネクタ１Ａは、切換機構５Ａのアクチュエータ部材６ａに、内側の上方から下方に向って末広がり形状に傾斜したカム面２６ａが設けられていることが、上記の実施例１乃至実施例４のカードコネクタ１、３０、６０、１００と異なっている。
【０１６０】
斯様に、アクチュエータ部材６ａのカム面２６ａが、末広がり形状に傾斜したカム面として形成されることによって、カードの挿入時に、カードの先端部の角部や側面部分が、少ない接触摩擦面をもってアクチュエータ部材６ａと当接するようになるので、摩擦面が少なくなり、これによってカード挿入、抜去時のカードの摺動性が良くなって、両部材間の摩擦力と摩滅とが小さくなる。さらに、これに基づいて、イジェクト機構のイジェクト部材のばね力も小さく設計することが出来る。
【０１６１】
（変形例２）
図３８と図３９は、本発明の実施例１のカードコネクタの別の変形例を示す図で、図３８は、カバー部材を取外して示すカード挿入口側から見た斜視図、図３９は、図３８のカードコネクタのカード挿入口側からの端面図である。
【０１６２】
図示されるように、この変形例２においては、切換機構５Ｂのアクチュエータ部材６ｂのカム面２６ｂの上部に、内方にこぶ状に突出した出張り部２９が設けられていることが、上記の実施例１および変形例１と異なっているものであり、他は、実質的に同じである。
【０１６３】
すなわち、図示されるように、本発明のこの変形例２におけるカードコネクタ１Ｂは、コネクタ本体２とカバー部材３とを組み合わせて筐形のコネクタハウジングを形成しており、内部に複数個のコンタクト４が配列されていると共に、カード挿入口９の両側に切換機構５Ｂが配設されている。
【０１６４】
カード挿入口９の両側に配設された切換機構５Ｂは、ピン１３ｂによってコネクタ本体２に対して回動可能に取り付けられたブロック状のアクチュエータ部材６ｂを有している。このアクチュエータ部材６ｂは、カード挿入口９側の角部が、切り落されてカム面２６ｂが形成されると共に、このカム面２６の上部に内方にこぶ状に突出する出張り部２９が設けられている。また、アクチュエータ部材６ｂは、先端にラッチ部２５ｂを有している。
【０１６５】
このように、本発明の変形例２におけるカードコネクタ１Ｂは、切換機構５Ｂのアクチュエータ部材６ｂの内側の上部に、内方に向ってこぶ状に突出する出張り部２９が設けられていることが、上記の実施例１乃至実施例４および変形例１のカードコネクタ１、１Ａ、３０、６０、１００と異なっている。
【０１６６】
斯様に、アクチュエータ部材６ｂのカム面２６ｂの上部に内方に突出する出張り部２９がカム部として形成されることによって、カードの挿入時に、カードの先端部の角部と側面部分とが少ない接触摩擦面をもってアクチュエータ部材６ｂの出張り部２９と当接するようになるので、摩擦面が少なくなり、これによってカード挿入、抜去時のカードの摺動性が良くなって、両部材間の摩擦力と摩滅とが小さくなる。さらに、これに基づいて、イジェクト機構のイジェクト部材のばね力も小さく設計することが出来る。
【０１６７】
（変形例３）
図４０と図４１は、本発明の実施例３のカードコネクタの変形例を示す図で、図４０は、カバー部材を取外して示すカード挿入口側から見た斜視図、図４１は、図４０のカードコネクタのカード挿入口側からの端面図である。
【０１６８】
図示されるように、この変形例３においては、切換機構６５Ａのアクチュエータ部材６６ａのカム部９５に、上方から下方に末広がり形状に傾斜したカム面９６が形成されていることが、上記の実施例１乃至実施例４と変形例１、２と異なっているものであり、他は、実質的に同じである。
【０１６９】
すなわち、図示されるように、本発明のこの変形例３におけるカードコネクタ６０Ａは、コネクタ本体６２とカバー部材６３とを組み合わせて筐形のコネクタハウジングを形成しており、内部に複数個の第１コンタクト６４Ａと第２コンタクト６４Ｂとが配列されていると共に、カード挿入口６９の両側に切換機構６５Ａが配設されている。
【０１７０】
カード挿入口６９の両側に配設された切換機構６５Ａは、コネクタ本体６２に対して外方側の一端部において固着されて、内方側の他端部が弾性変形可能に自由端部となったアクチュエータ部材６６ａを有している。このアクチュエータ部材６６ａは、金属板の帯状の細長い条片部材をほぼＵ字形に折り曲げて形成されている。ほぼＵ字形に折曲されたアクチュエータ部材６６は、外方側の端部となる脚部が、コネクタ本体６２に固着され、内方側の端部となる脚部が自由端部として弾性変形可能になっており、このアクチュエータ部材６６ａの、カード挿入口６９側の折曲部の内側角部とそれに続く内側面部分に、斜めに末広がり形状に傾斜したカム面９６を有するカム部９５が形成されている。
【０１７１】
すなわち、カム部９５のカム面９６は、上方から下方に向って末広がり形状に傾斜している。また、アクチュエータ部材６６ａは、第１シャッター部材６７と第２シャッター部材６７とにそれぞれラッチ係合する第１ラッチ部と第２ラッチ部とを同様に有している。
【０１７２】
このように、本発明の変形例３におけるカードコネクタ６０Ａは、切換機構６５Ａのアクチュエータ部材６６ａに、内側の上方から下方に向って末広がり形状に傾斜したカム面９６を有するカム部９５が設けられていることが、上記の実施例１乃至実施例４、変形例１および変形例２のカードコネクタ１、１Ａ、１Ｂ、３０、６０、１００と異なっている。
【０１７３】
斯様に、アクチュエータ部材６６ａのカム部９５のカム面９６が、末広がり形状に傾斜したカム面として形成されることによって、カードの挿入時に、カードの先端部の角部と側面部分とが少ない接触摩擦面をもってアクチュエータ部材６６ａと当接するようになるので、摩擦面が少なくなり、これによってカード挿入、抜去時のカードの摺動性が良くなって、両部材間の摩擦力と摩滅とが小さくなる。さらに、これに基づいて、イジェクト機構のイジェクト部材のばね力も小さく設計することが出来る。
【０１７４】
（変形例４）
図４２と図４３は、本発明の実施例３のカードコネクタの別の変形例を示す図で、図４２は、カバー部材を取外して示すカード挿入口側から見た斜視図、図４３は、図４２のカードコネクタのカード挿入口側からの端面図である。
【０１７５】
図示されるように、この変形例４においては、切換機構６５Ｂのアクチュエータ部材６６ｂのカム部９５のカム面９６の上方部分に内側に向ってこぶ状に突出する出張り部９８が設けられていることが、上記の実施例１乃至実施例４および変形例１乃至変形例３と異なっているものであり、他は、実質的に同じである。
【０１７６】
すなわち、図示されるように、本発明のこの変形例４におけるカードコネクタ６０Ｂは、コネクタ本体６２とカバー部材６３とを組み合わせて筐形のコネクタハウジングを形成しており、内部に複数個の第１コンタクト６４Ａと第２コンタクト６４Ｂとが配列されていると共に、カード挿入口６９の両側に切換機構６５Ｂが配設されている。
【０１７７】
カード挿入口６９の両側に配設された切換機構６５Ｂは、コネクタ本体６２に対して外方側の一端部において固着されて、内方側の他端部が弾性変形可能に自由端部となったアクチュエータ部材６６ｂを有している。このアクチュエータ部材６６ｂは、金属板の帯状の細長い条片部材をほぼＵ字形に折り曲げて形成されている。
【０１７８】
ほぼＵ字形に折曲されたこのアクチュエータ部材６６ｂは、外方側の端部となる脚部が、コネクタ本体６２に固着され、内方側の端部となる脚部が自由端部として弾性変形可能になっている。さらに、このアクチュエータ部材６６ｂの、カード挿入口６９側の折曲部の内側角部とそれに続く内側面部分に、カム面９６を有するカム部９５が形成されており、さらに、このカム部９５のカム面９６の上部に、内方に突出するこぶ状の出張り部９８が設けられている。
【０１７９】
すなわち、出張り部９８は、アクチュエータ部材６６ｂの折曲部の内側角部とそれに続く内側面部分とにカム部９５のカム面９６の上部に内方に突出するこぶ状に形成されている。また、アクチュエータ部材６６ｂは、第１シャッター部材６７ａと第２シャッター部材６７ｂとにそれぞれラッチ係合する第１ラッチ部と第２ラッチ部とを同様に有している。
【０１８０】
このように、本発明の変形例４におけるカードコネクタ６０Ｂは、切換機構６５Ｂのアクチュエータ部材６６ｂに、内方に向って突出するこぶ状の出張り部９８が設けられていることが、上記の実施例１乃至実施例４および変形例１乃至変形例３のカードコネクタ１、１Ａ、１Ｂ、３０、６０、６０Ａ、１００と異なっている。
【０１８１】
斯様に、アクチュエータ部材６６ｂのカム部９５のカム面９６の上方部分に、内方に突出する出張り部９８が形成されることによって、カードの挿入時に、カードの先端部の角部と側面部分とが少ない接触摩擦面をもってアクチュエータ部材６６ｂと当接するようになるので、摩擦面が少なくなり、これによってカード挿入、抜去時のカードの摺動性が良くなって、両部材間の摩擦力と摩滅とが小さくなる。さらに、これに基づいて、イジェクト機構のイジェクト部材のばね力も小さく設計することが出来る。
【０１８２】
なお、上記の変形例１乃至変形例４は、実施例１および実施例３に適用することに限られるものでは無く、実施例２および実施例４にも勿論のこと、後述の実施例５にも、随時適用できるものである。
【実施例５】
【０１８３】
図４４乃至図４７には、本発明のカードコネクタの実施例５が示されており、図４４は、本発明の実施例５におけるカードコネクタをカード挿入口側から見た全体の斜視図で、図４５は、図４４の本発明のカードコネクタを、カバー部材を取外して示す同様な斜視図、図４６は、図４４の本発明のカードコネクタの側断面図で、図４７は、図４４の本発明のカードコネクタをカード挿入口から見た端面図である。  
図４４乃至図４７に示されるように、本発明の実施例５におけるカードコネクタ２００は、切換機構２０５のアクチュエータ部材２０６とシャッター部材２０７等とが、先の実施例３および実施例４のカードコネクタ６０、１００におけるものと一部が異なっており、他の構成は、実質的にほぼ同じである。
【０１８４】
本発明の実施例５におけるカードコネクタ２００は、コネクタ本体２０２と、カバー部材２０３と、メモリースティックデュオ（登録商標）のような小さなカードのための前列側の複数個の第１のコンタクト２０４と、切換機構２０５と、イジェクト機構２０８と、メモリースティック（登録商標）のような大きなカードのための後列側の複数個の第２のコンタクト２１０とを有している。
【０１８５】
本発明のこの実施例５におけるカードコネクタ２００のこのような切換機構２０５は、アクチュエータ部材２０６と、シャッター部材２０７とを有しており、シャッター部材２０７が後方に倒れて底壁のベース部２１８上に平らに収納されるように形成されている。また、大きなカードを排出するためにイジェクト機構２０８が設けられている。
【０１８６】
このように、本発明の実施例５においては、カードコネクタ２００の切換機構２０５のシャッター部材２０７が後方に倒れてベース部２１８の上に平坦状に収納されるように構成されていることが特徴の１つである。このような本発明のカードコネクタ２００は、例えば情報端末機器等に装着して用いられるように構成されている。
【０１８７】
また、本発明のカードコネクタ２００は、コネクタ本体２０２に組合せられるカバー部材２０３によって偏平なハウジング形状の筐体に構成されており、一方の側が開放されていてカード挿入口２０９が形成されている。コネクタ本体２０２におけるこのカード挿入口２０９は、横方向の幅と垂直方向の高さが異なる小さなカードと大きなカードとに適合するように案内路を形成する段差部２２３が設けられるのが好適である。また、カード挿入口２０９におけるこのような段差部２２３は、コネクタ本体２０２のベース部２１８または側壁２１９、２２０のカード挿入口２０９側に形成することができ、小さなカードや大きなカードの裏差しや後挿入を好適に防止することができる。さらにまた、カードコネクタ２００は、他方の側が端壁２２１によって閉鎖されていて、この端壁２２１に沿って横方向に後列側の複数個の第２のコンタクト２１０が整列して設けられている。
【０１８８】
本発明のカードコネクタ２００において、第１のコンタクト２０４と第２のコンタクト２１０には、外部の他の情報端末機器や装置等の端子や、印刷配線基板のプリント回路等とそれぞれ接続するための端子部２０４ｃ、２１０ｃが折曲して設けられている。また、本発明のカードコネクタ２００は、カバー部材２０３の両側に設けられた取付用のフランジ部２１１において、情報端末機器の印刷配線基板等の固定すべき機器や装置にねじや半田付け等によって取り付けられるようになっている。さらに、カバー部材２０３は、上面に切欠き２２８と開口部２２９が設けられていて、小カードや大カードが挿入されて第１コンタクト２０４または第２コンタクト２１０と接触されるのを目で確認することが出来る。
【０１８９】
本発明のカードコネクタ２００のカード挿入口２０９の両側には、切換機構２０５の一対のアクチュエータ部材２０６が設けられると共に、これら両側のアクチュエータ部材２０６の間に、開閉可能な閉鎖部材としてのシャッター部材２０７が設けられていて、小さなカードや大きなカード等の厚さや幅等の外形寸法の相違に対応して切換え作動することができるように形成されている。
【０１９０】
このような本発明のカードコネクタ２００において、コネクタ本体２０２は、適宜な合成樹脂材料などの絶縁材料によって成形して作られ、金属板材料や繊維補強された合成樹脂材料で作られたカバー部材２０３と組合せられて、中空の偏平なハウジング形状の筐体に形成されている。小さなカードまたは大きなカードは、カードコネクタ２００のカード挿入口２０９から挿入され、挿入された小さなカードまたは大きなカードの下面の先端部に配列されたパッド部とそれぞれ接続されるように第１列の複数個の第１のコンタクト２０４と第２列の複数個の第２のコンタクト２１０とが、カードコネクタ２００内に整列して設けられている。
【０１９１】
このような第１、第２のコンタクト２０４、２１０は、図示されるように、同じ方向を向く状態に配置されている。さらに、これら第１にコンタクト２０４と第２のコンタクト２１０は、ほぼ同様な形状をなし、かつ上方に半円形状に彎曲した接触部２０４ａ、２１０ａが自由端部に形成されており、この接触部２０４ａ、２１０ａが、カード挿入口２０９から挿入された小さなカードまたは大きなカードのパッド部と所要位置において弾性的に接触できるように形成されている。さらに、第１のコンタクト２０４と第２のコンタクト２１０は、コネクタ本体２０２のベース部２１８の中程のところに個々に独立して設けられた支持台部２２４と、端壁２２１の内側に個々に独立して設けられた奥の方のところの支持台部２２５との上にそれぞれ異なる高さ位置に設置されている。
【０１９２】
すなわち、前列側の第１のコンタクト２０４は、コネクタ本体２０２のベース部２１８の前方の支持台部２２４の上に、ベース部２１８より僅かに上の方に位置されており、後列側の第２のコンタクト２１０は、端壁２２１の内側の後方の支持台部２２５の上に、やや高い位置に設置されている。従って、これら第１のコンタクト２０４と第２のコンタクト２１０は、これら個々に独立して形成された支持台部２２４、２２５の端部のところに固着されるほぼ直角に折曲された脚部２０４ｂ、２１０ｂの垂直部分の長さが異なっている。
【０１９３】
このように、これら第１のコンタクト２０４と第２のコンタクト２１０の端子部２０４ｃ、２１０ｃは、支持台部２２４の後方の縁部、支持台部２２５の前方の縁部に沿って中間固定部２０４ｂ、２１０ｂのところで、コネクタ本体２０２に対して固定されている。さらに、これら第１コンタクト２０４と第２コンタクト２１０は、中間固定部２０４ｂ、２１０ｂから延出しており、端部においてほぼ直角に折曲されていて、端子部２０４ｃ、２１０ｃとしてそれぞれコネクタ本体２０２のベース部２１８の底面と同一面に位置するように形成されている。さらに、これら第１のコンタクト２０４と第２のコンタクト２１０は、個々に中間固定部２０４ｂ、２１０ｂにおいてコネクタ本体２０２に一体的に取り付けられて固着されており、端子部２０４ｃ、２１０ｃが外部機器の端子や印刷回路基板の回路等と接続されるように形成されている。
【０１９４】
なお、本実施例においても、上記実施例１乃至４と同様に、例えば小さなカードとしてメモリスティックデュオ（登録商標）を使用し、大きなカードとしてメモリスティック（登録商標）を使用できるように適用されているが、本発明は何等このようなカードだけの使用にのみ制限されるものではなく、他の同様なメモリカードでも良好に適用できることは勿論である。
【０１９５】
図示されるように、このような本発明のカードコネクタ２００において、カード挿入口２０９の両側には、切換機構２０５のアクチュエータ部材２０６が切換作動部材として、カード挿入口２０９の両側のところにそれぞれ設けられている。さらに、シャッター部材２０７が、これらアクチュエータ部材２０６の間に回動可能に配置されている。
【０１９６】
アクチュエータ部材２０６は、金属板の帯状の細長い条片部材を、ほぼＵ字形に折り曲げて弾性変形可能に形成されており、外側の脚部２１２が短くて側壁２１９、２２０に固着され、内側の脚部２１３が長く形成されている。さらに、アクチュエータ部材２０６は、内側の脚部２１３が弾性変形可能な自由端部として形成されており、先端部にラッチ部２１４が設けられている。従って、アクチュエータ部材２０６のラッチ部２１４がシャッター部材２０７の両側の直立した背面部分に係合されることによってシャッター部材２０７を直立した状態に固持するように形成されている。
【０１９７】
また、アクチュエータ部材２０６の固定された脚部２１２の近くに折り曲げられたカム部２１５が形成されており、大きなカードの角部がこのカム部２１５に当接して押した時に、アクチュエータ部材２０６の長い方の自由な脚部２１３が外方に開かれる方向に作動されるように弾性変形される。これによって、ラッチ部２１４がシャッター部材２０７から外れてラッチ係合が開放されるように形成されている。
【０１９８】
このようなシャッター部材２０７は、横方向に細長い板部材から形成されたシャッター板から構成されており、シャッター板の両側の支持脚部としての軸状の支持部２１６が設けられている。また、軸状の支持部２１６は、コネクタ本体２０２のベース部２１８の切欠き部分によって形成される軸受け部に回動可能に支持されている。なお、シャッター部材２０７は、コネクタ本体２０２の側壁２１９、２２０に、シャッター部材２０７が上方に向って直立した状態に起立するように板ばね（図示しない）等によって押されて保持されるように形成されるのが好適である。従って、シャッター部材２０７は、常時は、上方に直立した状態にあって、カードコネクタ２００内のカード挿入部分を閉鎖しており、この閉鎖状態にアクチュエータ部材２０６のラッチ部２１４によって固持されている。
【０１９９】
従って、シャッター部材２０７が閉鎖している本実施例のカードコネクタ２００において、大きなカードを挿入した時には、大きなカードの先端部がアクチュエータ部材２０６の角部のカム部２１５に先ず当接する。そして、大きなカードの角部がカム部２１５に当接した時に、アクチュエータ部材２０６の自由端部側の脚部２１３が外方に開かれるように弾性変形される。これによって、ラッチ部２１４がシャッター部材２０７から外れて、ラッチ係合が解放されるようになる。続いて、大きなカードがさらに挿入されると、この大きなカードの先端部がシャッター部材２０７を後方に押し倒して、シャッター部材２０７を支持部２１６周りに回動してコネクタ本体２０２のベース部２１８上に平らな状態になるように押圧する。
【０２００】
従って、この状態において、大きなカードはさらに奥に挿入できるようになり、大きなカードのパッド部が第２コンタクト２１０と接触されるようにして装着される。さらにまた、このような大きなカードを挿入してコンタクト２１０と接触させると共に、この大きなカードの排出を行うためにイジェクト機構２０８が設けられている。
【０２０１】
大きなカードを排出するためのこのようなイジェクト機構２０８は、コネクタ本体２０２の一方の側壁２２０に沿って形成された切り欠き部の上を滑動可能に装着されたスライダとしてのイジェクト部材２３０と、このイジェクト部材２３０によって押圧されて弾性変形されるコイルスプリングのようなばね部材２３２と、側壁２２０部分の上面に形成されたハート形カム２３３と、このハート形カム２３３の周りに形成されたカム溝２３４に一方の端部２４１がカム係合されるカムレバー２４０とを有している。
【０２０２】
また、イジェクト部材２３０の内側の一端には、カードの角部が係合するカード受け部２３１が設けられると共に、ばね部材２３２の一方の端部を受けてばね部材２３２によって押圧されている。このイジェクト部材２３０のカード受け部２３１は、大きなカードの裏返し挿入を防止するために、角部が面取り等によって切り落された大きなカードを受けて良好に係合できるように形成されている。従って、大きなカードを裏返しに挿入した時には、大きなカードの切り欠かれていない角部がカード受け部２３１に当接するために、大きなカードの角部とカード受け部２３１とが合致せず、これによって大きなカードの裏差しを防止することができる。
【０２０３】
さらにまた、カムレバー２４０の他方の端部２４２は、側壁２２０に回動可能に枢支されている。従って、カードが挿入されて押し込まれてイジェクト部材２３０が滑動される時に、カムレバー２４０の一方の端部２４１がカム溝２３４に沿って相対的に移動されるようになる。このために、大きなカードが挿入されて押し込まれて、端壁２２１に当接した時に、大きなカードは、僅かに押し戻されて、カムレバー２４０のこの端部２４１が、ハート形カム２３３の頭部の凹み部２３５に位置されるようになっている。
【０２０４】
従って、この凹み部２３５の位置において、イジェクト部材２３０がばね部材２３２により押されているために、この凹み部２３５にカムレバー２４０の端部２４１が当接する位置に、ほぼ固定して保持されるようになる。これによって、挿入された大きなカードは、挿入位置に固持されて、大きなカードのパッド部が第２コンタクト２１０に接触されて接続された状態が保持されるようになる。
【０２０５】
また、カバー部材２０３には、カムレバー押え２４４が片持ち梁状の板ばねとして形成されており、これによってカムレバー２４０が弾性的に押されていて、カムレバー２４０の端部２４１がカム溝２３４から外れて飛出さないように良好に保持されている。
【０２０６】
このように本発明のこの実施例５のカードコネクタ２００に装着された大きなカードを排出させて取り出すためには、カードコネクタ２００に装着されている大きなカードを一度僅かに押して大きなカードのラッチ係合を解除しておいて取り出すようになる。すなわち、カードコネクタ２００に装着されている大きなカードを一度僅かに押すと、ハート形カム２３４の凹み部２３５に位置していたカムレバー２４０の端部２４１から、ハート形カム２３３の凹み部２３５が離れて端部２４１が横方向に動いて凹み部２３５から外れる。
【０２０７】
これによって、カムレバー２４０の端部２４１が自由になってカム溝２３４に沿うようになるので、この状態でイジェクト部材２３０がばね部材２３２によって押されて滑動されるようになる。従って、イジェクト部材２３０は、カードコネクタ２００の中程の位置にまで押されて移動されるので、これによって大きなカードがほぼ半分ほど排出されるようになる。
【０２０８】
続いて、このように半分ほど排出された大きなカードの端部を持って引き出せば、大きなカードはカードコネクタ２００から完全に外方に排出されるようになる。こうして、大きなカードがカードコネクタ２００から完全に排出されると、シャッター部材２０７は上方の閉鎖位置へと回動して起ち上がり、アクチュエータ部材２０６も元の状態に戻ってラッチ部２１４がシャッター部材２０７の両側の支持部２１６に係合してシャッター部材２０７をラッチして固定する。
【０２０９】
このように構成された本発明の実施例５のカードコネクタ２００において、小さいカードと大きいカードが実際に適用される場合について次に説明する。
【０２１０】
先ず、小さなカードが適用される場合には、本発明のカードコネクタ２００のカード挿入口２０９に小さなカードの先端部が挿入されるようになる。
【０２１１】
このような小さなカードは、厚さが薄く、長さが短く、幅も小さい等の外形寸法が小さなカードである。この小さなカードの場合、幅は、本発明のカードコネクタ２００の一対のアクチュエータ部材２０６間の規定の幅にほぼ等しい幅をなしている。従って、小さなカードを、カードコネクタ２００のカード挿入口２０９からカードコネクタ２００内に挿入される時に、小さなカードは、アクチュエータ部材２０６に何等当たらないので、アクチュエータ部材２０６を動かすことが無い。従って、アクチュエータ部材２０６は、自己弾性力によって内方に向って偏倚されている。このために、アクチュエータ部材２０６は、先端部がシャッター部材２０７の側部に当たって停止されており、ラッチ部２１４がシャッター部材２０７の側面に係合されている図４５の状態になっている。
【０２１２】
これにより、シャッター部材２０７は直立したままであり、この直立状態においてアクチュエータ部材２０６のラッチ部２１４によりラッチされて固定されている。
【０２１３】
従って、小さなカードは、直立した状態のシャッター部材２０７の下方のゲート状の空間部分を通って挿入され、コネクタ本体２０２の段差部２２３間に位置されて、第１コンタクト２０４にカードの下面のパッド部に接触して接続されるようになる。
【０２１４】
また、大きなカードの場合には、カードの幅は、本発明のカードコネクタ２００の一対のアクチュエータ部材２０６間の規定の幅よりも大きい。従って、大きなカードをカード挿入口２０９からカードコネクタ２００内に挿入すれば、先ず、大きなカードの先端の角部がアクチュエータ部材２０６のカム部２１５に当たって押すようになる。このために、アクチュエータ部材２０６は、弾性変形して外方に向って開くように動く。これによって、アクチュエータ部材２０６のラッチ部２１４がシャッター部材２０７の側面から離れて、ラッチ係合が外れるようになる。
【０２１５】
続いて、大きなカードを押し込めば、大きなカードの先端部がシャッター部材２０７を下方に押し倒しながらカードコネクタ２００内に挿入される。やがて、大きなカードの先端部の一方の面取りされて切り落とされた角部が、イジェクト部材２３０のカード受け部２３１に係合して合致し、続いての大きなカードの挿入によってイジェクト部材２３０が押されて奥の方にまで滑動される。この時に、カムレバー２４０の端部２４１がイジェクト部材２３０のカム溝２３４に沿って倣うようにイジェクト部材２３０が滑動される。
【０２１６】
やがて、カムレバー２４０の端部２４１がカム溝２３４の凹み部２３５のところに位置するようになって、この凹み部２３５においてカムレバー２４０の端部２４１が当接して保持され、イジェクト部材２３０が固定される。このような状態において、大きなカードが完全に挿入されて大きなカードの下面のパッド部がコンタクト２１０の接触部２１０ａと接触されて接続されるようになる。このようにして大きなカードが挿入されて装着され、所期の目的である大きなカードの使用が可能となる。
【０２１７】
次いで、大きなカードを取り出すには、上述したように一度、大きなカードを僅かに押してイジェクト機構２０８による大きなカードのラッチ係合を解除しておいて取り出すようになる。すなわち、カードコネクタ２００に装着されている大きなカードを一度僅かに押すと、ハート形カム２３３の凹み部２３５に位置していたカムレバー２４０の端部２４１は、ハート形カム２３３の凹み部２３５から横方向に動いて凹み部２３５から外れる。これによって、カムレバー２４０の端部２４１が自由になってカム溝２３４に沿うようになるので、この状態で、押していた大きなカードを離して自由にすると、イジェクト部材２３０がばね部材２３２によって押されて滑動されるようになる。従って、イジェクト部材２３０は、カードコネクタ２００の中程の位置にまで押されて移動されるので、これによって、大きなカードがほぼ半分ほど排出されるようになる。
【０２１８】
続いて、半分ほど排出された大きなカードの端部を持って引き出せば、大きなカードは、カードコネクタ２００から完全に排出されるようになる。こうして、大きなカードがカードコネクタ２００から完全に排出されると、シャッター部材２０７は、上方の閉鎖位置へと起立するように回動し、アクチュエータ部材２０６も元の状態に戻って、ラッチ部２１４がシャッター部材２０７の側面に係合してシャッター部材２０７をラッチして固定する。
【０２１９】
このように、本発明の実施例５におけるカードコネクタ２００は、切換機構２０５のシャッター部材２０７によって、大きなカードを挿入する時は、カードはシャッター部材２０７を倒してその上を通過して挿入されて奥の第２コンタクト２１０にカードのパッド部が接触されるようになり、小さなカードを挿入する時には、シャッター部材２０７は直立したままであり、カードはシャッター部材２０７の下方のゲート状の空間部分を通って挿入されて、第１コンタクト２０４にカードのパッド部が接触されて、使用区別を行う等の目的を達成することができる。
【０２２０】
このように、本発明のカードコネクタ２００においては、１つのカードコネクタ２００によって大小の２種類のカードを、カード自体に何等の細工を施さずに、かつ何の支障も無く、適切なカードの使用を許し、不適切なカードの使用を阻止することができ、カードの使用を区別することができる。また、本発明によれば、カードコネクタ２００自体を偏平で薄形のハウジング構造の筐体に製作することができ、アクチュエータ部材における摩擦面を少なくして摺動性を良くし、摩擦力を小さくして摩滅を少なくするので、イジェクト機構のばね力を小さく設計することが出来るし、携帯電話機やカラオケ用マイクのような情報端末機器や各種の電子機器等に好適に使用することが可能である。
【０２２１】
さらに、本発明のカードコネクタ２００においては、可動部分が、切換機構２０５のアクチュエータ部材２０６とシャッター部材２０７とイジェクト機構２０８のイジェクト部材２３０だけで少なく、しかも、シャッター部材２０７を下のベース部２１８上に収納してスペースを稼ぐことでき、コネクタ全体の厚さを薄くして、シンプルな構造に形成できて、小型化が可能であり、各部材の取換えがそれぞれ容易である等の効果が得られ、上記実施例１乃至５のいずれにも適用可能である。
【０２２２】
上述したように、本発明のカードコネクタによれば、筐体内に配置された切換機構によって、カード挿入口の開口部の面積を変えるので、１つのカードコネクタによって、断面形状における寸法の相違する異なるカードを使用することができ、大小の複数種類のカードを、カード自体に何等の細工を施さずに、かつ何の支障も無く共通して使用することができ、しかも適切なカードの使用を区別することができるし、さらにカードコネクタ自体を偏平で薄形のハウジング形状の筐体に製作することができて、携帯電話機やカラオケ用マイクのような情報端末機器や各種の電子機器等に好適に使用することが可能である。
【産業上の利用可能性】
【０２２３】
本発明は、携帯電話機、電話機、ＰＤＡ（personal  digital  assistance）、携帯型オーディオ、ゲーム機、カメラ等や情報端末機器等の電子機器に適用できる。
【図面の簡単な説明】
【０２２４】
【図１】本発明の実施例１におけるカードコネクタをカード挿入口側から見た全体の斜視図である。
【図２】図１の本発明のカードコネクタの平面図である。
【図３】図１の本発明のカードコネクタの一部を断面した側面図である。
【図４】図１の本発明のカードコネクタを、カバー部材を取外して示す図１と同様な斜視図である。
【図５】図４の本発明のカードコネクタを、可動部材が外方に開いてシャッター部材が後方に倒れた状態での同様な斜視図である。
【図６】図４の本発明のカードコネクタに小さなカードを挿入した時の斜視図である。
【図７】図４の本発明のカードコネクタに大きなカードを挿入した時の斜視図である。
【図８】本発明の実施例２におけるカードコネクタをカード挿入口側から見た全体の斜視図である。
【図９】図８のカードコネクタの平面図である。
【図１０】図８のカードコネクタの側面図である。
【図１１】図８のカードコネクタをカード挿入口から見た端面図である。
【図１２】図８の本発明のカードコネクタを、カバー部材を取外して示す同様な斜視図である。
【図１３】図８の本発明のカードコネクタに小さなカードを挿入した時の斜視図である。
【図１４】図１３のカードコネクタの平面図である。
【図１５】図１３のカードコネクタの一部を断面で示す側面図である。
【図１６】図８の本発明のカードコネクタに大きなカードを挿入した時の斜視図である。
【図１７】図１６のカードコネクタの平面図である。
【図１８】図１６のカードコネクタの一部を断面で示す側面図である。
【図１９】本発明の実施例３におけるカードコネクタをカード挿入口側から見た全体の斜視図である。
【図２０】図１９のカードコネクタの平面図である。
【図２１】図１９のカードコネクタの側面図である。
【図２２】図１９のカードコネクタの側断面図である。
【図２３】図１９のカードコネクタのカード挿入口から見た端面図である。
【図２４】図１９の本発明のカードコネクタを、カバー部材を取外して示す同様な斜視図である。
【図２５】図２４のカードコネクタにおいてシャッター部材を開いた時の同様な斜視図である。
【図２６】図２４の本発明のカードコネクタに小さなカードを挿入した時の斜視図である。
【図２７】図２６のカードコネクタの側断面図である。
【図２８】図２４の本発明のカードコネクタに大きなカードを挿入した時の斜視図である。
【図２９】図２８のカードコネクタの側断面図である。
【図３０】本発明の実施例４におけるカードコネクタの平面図である。
【図３１】図３０のカードコネクタの側面図である。
【図３２】図３０のカードコネクタの側断面図である。
【図３３】図３０のカードコネクタのカード挿入口側からの端面図である。
【図３４】図３０の本発明のカードコネクタに大きなカードを挿入する時の、カバー部材を取外して示す斜視図である。
【図３５】図３０の本発明のカードコネクタに小さなカードを挿入した時に、シャッター部材が閉じてカードの挿入が阻止される状態を、カバー部材を取外して示す同様な斜視図である。
【図３６】本発明の実施例１のカードコネクタの変形例１を、カバー部材を取外して示すカード挿入口側から見た斜視図である。
【図３７】図３６のカードコネクタのカード挿入口側からの端面図である。
【図３８】本発明の実施例１のカードコネクタの変形例２を、カバー部材を取外して示すカード挿入口側から見た斜視図である。
【図３９】図３８のカードコネクタのカード挿入口側からの端面図である。
【図４０】本発明の実施例３のカードコネクタの変形例３を、カバー部材を取外して示すカード挿入口側から見た斜視図である。
【図４１】図４０のカードコネクタのカード挿入口側からの端面図である。
【図４２】本発明の実施例３のカードコネクタの変形例４を、カバー部材を取外して示すカード挿入口側から見た斜視図である。
【図４３】図４２のカードコネクタのカード挿入口側からの端面図である。
【図４４】本発明の実施例５におけるカードコネクタをカード挿入口から見た全体の斜視図である。
【図４５】図４４の本発明のカードコネクタを、カバー部材を取外して示す同様な斜視図である。
【図４６】図４４の本発明のカードコネクタの側断面図である。
【図４７】図４４の本発明のカードコネクタを、カード挿入口側から見た端面図である。
【符号の説明】
【０２２５】
１          カードコネクタ
１Ａ        カードコネクタ
１Ｂ        カードコネクタ
２          コネクタ本体
３          カバー部材
４          コンタクト
５          切換機構
６          アクチュエータ部材
７          シャッター部材
９          カード挿入口
１０        板ばね
１１        端壁
１２        取付用フランジ部
１３        ピン
１４        シャッター板
１５        突出部
１６        カム面
１７        ピン
１８        ベース部
１９        支持壁
２０        上板
２１        外方側壁
２２        内方側壁
２３        切り欠き部
２４        直立板
２５        ラッチ部
２６        カム面
２７        支持台部
２９        出張り部
３０        カードコネクタ
３２        コネクタ本体
３３        カバー部材
３４Ａ      コンタクト
３４Ｂ      コンタクト
３５        切換機構  
３６        アクチュエータ部材
３７        シャッター部材
３８        開口部  
３９        カード挿入口  
４０        シャッター押え
４１        取付用フランジ部
４２        シャッター板
４３        フランジ部
４４        ラッチ孔
４５        フランジ部
４６        ピン
４７        ピン
４８        ベース部
４９        支持壁
５０        側壁
５１        端壁
５２        切り欠き部
５３        フランジ部
５４        カム部
５５        脚部
５６        ラッチ部
５７        ラッチ爪  
５８ａ      支持台部
５８ｂ      支持台部
６０        カードコネクタ
６０Ａ      カードコネクタ
６０Ｂ      カードコネクタ
６２        コネクタ本体
６３        カバー部材
６４Ａ      コンタクト
６４Ｂ      コンタクト
６５        切換機構  
６６        アクチュエータ部材
６７ａ      シャッター部材
６７ｂ      シャッター部材
６８        イジェクト機構  
６９        カード挿入口  
７０        脚部
７１        脚部
７２ａ      ラッチ爪
７２ｂ      ラッチ爪
７３        カム部
７４        フランジ部
７５ａ      支持ピン部    
７５ｂ      支持ピン部
７６ａ      押さえピン
７６ｂ      押さえピン
７７ａ      支持台部    
７７ｂ      支持台部
７８        ベース部
７９        支持壁
８０        側壁
８１        端壁
８２        切り欠き部
８３        イジェクト部材
８４        ばね部材
８５        ハート形カム
８６        カム溝
８７        カムレバー
８８        カード受け部  
８９        ばね収納部
９０        端部
９１        端部
９２        凹み部
９３        カムレバー押え
９５        カム部
９６        カム面
９８        出張り部
１００      カードコネクタ
１０２      コネクタ本体
１０３      カバー部材
１０４      コンタクト
１０５      切換機構
１０６      アクチュエータ部材
１０７      シャッター部材
１０９      カード挿入口
１１０      脚部
１１１      脚部
１１２      ラッチ爪
１１３      カム部
１１４      取付用フランジ部
１１５      支持ピン部
１１６      押さえピン
１１７      支持台部
１１８      ベース部
１１９      支持壁
１２０      側壁
１２１      端壁
１２２      切り欠き部
１２３      イジェクト部材
１２４      ばね部材
１２５      ハート形カム
１２６      カム溝
１２７      カムレバー
１２８      カード受け部
１２９      ばね収納部
１３０      端部
１３１      端部
１３２      凹み部
１３３      カムレバー押え
２００      カードコネクタ
２０２      コネクタ本体
２０３      カバー部材
２０４      コンタクト
２０５      切換機構
２０６      アクチュエータ部材
２０７      シャッター部材
２０８      イジェクト機構
２０９      カード挿入口
２１０      コンタクト
２１２      脚部
２１３      脚部
２１４      ラッチ部
２１５      カム部
２１６      支持部
２１８      ベース部
２１９      側壁
２２０      側壁
２２１      端壁
２２２      支持壁
２２３      段差部
２２４      支持台部
２２５      支持台部
２２８      開口部
２２９      開口部
２３０      イジェクト部材
２３１      カード受け部
２３２      ばね部材
２３３      ハート形カム
２３４      カム溝
２３５      凹み部
２４０      カムレバー
２４１      端部
２４２      端部
２４４      カムレバー押え
【図１】
2004193111.tif 000003
【図２】
2004193111.tif 000004
【図３】
2004193111.tif 000005
【図４】
2004193111.tif 000006
【図５】
2004193111.tif 000007
【図６】
2004193111.tif 000008
【図７】
2004193111.tif 000009
【図８】
2004193111.tif 000010
【図９】
2004193111.tif 000011
【図１０】
2004193111.tif 000012
【図１１】
2004193111.tif 000013
【図１２】
2004193111.tif 000014
【図１３】
2004193111.tif 000015
【図１４】
2004193111.tif 000016
【図１５】
2004193111.tif 000017
【図１６】
2004193111.tif 000018
【図１７】
2004193111.tif 000019
【図１８】
2004193111.tif 000020
【図１９】
2004193111.tif 000021
【図２０】
2004193111.tif 000022
【図２１】
2004193111.tif 000023
【図２２】
2004193111.tif 000024
【図２３】
2004193111.tif 000025
【図２４】
2004193111.tif 000026
【図２５】
2004193111.tif 000027
【図２６】
2004193111.tif 000028
【図２７】
2004193111.tif 000029
【図２８】
2004193111.tif 000030
【図２９】
2004193111.tif 000031
【図３０】
2004193111.tif 000032
【図３１】
2004193111.tif 000033
【図３２】
2004193111.tif 000034
【図３３】
2004193111.tif 000035
【図３４】
2004193111.tif 000036
【図３５】
2004193111.tif 000037
【図３６】
2004193111.tif 000038
【図３７】
2004193111.tif 000039
【図３８】
2004193111.tif 000040
【図３９】
2004193111.tif 000041
【図４０】
2004193111.tif 000042
【図４１】
2004193111.tif 000043
【図４２】
2004193111.tif 000044
【図４３】
2004193111.tif 000045
【図４４】
2004193111.tif 000046
【図４５】
2004193111.tif 000047
【図４６】
2004193111.tif 000048
【図４７】
2004193111.tif 000049